(57)【要約】      （修正有）【課題】記録媒体の泣き別れを防止することができる画像形成装置を提供する。【解決手段】給紙部から搬送されてきた用紙を、タンデム画像形成装置へ搬送する主搬送路および画像が形成された用紙を排紙部へ搬送する排紙路を収納し、装置装置本体に対して引き出し可能に構成された引き出しユニットを装置本体にロックするロック手段と、装置本体側の搬送経路と前記引き出しユニット側の搬送経路との間で記録媒体が跨っているか否かを検知する跨りセンサなどの跨り検知手段と、跨り検知手段が、跨りを検知しているとき、引き出しユニットを装置本体にロックするようにロック手段を制御する制御手段とを備えた。【選択図】図３１
2014134753.tif 000002
【特許請求の範囲】
【請求項１】
記録媒体が積載された給紙部から搬送されてきた記録媒体を、画像形成部へ搬送する給紙搬送路、および／または画像が形成された記録媒体を排紙部へ搬送する排紙搬送路を収納し、装置装置本体に対して引き出し可能に構成された引き出しユニットを備えた画像形成装置において、
前記引き出しユニットを装置本体にロックするロック手段と、
装置本体側の搬送路と前記引き出しユニット側の搬送路との間で前記記録媒体が跨っているか否かを検知する跨り検知手段と、
前記跨り検知手段が、跨りを検知しているとき、前記引き出しユニットを装置本体にロックするように前記ロック手段を制御する制御手段とを備えたことを特徴とする画像形成装置。
【請求項２】
請求項１の画像形成装置において、
少なくとも駆動源を備え、前記ロック手段を駆動する駆動手段と、
前記ロック手段が、ロック状態か、ロック解除状態かを検知するロック検知手段とを備え、
前記制御手段は、ロック検知手段の検知結果に基づいて、前記駆動手段を制御することで、前記ロック手段を制御することを特徴とする画像形成装置。
【請求項３】
請求項２の画像形成装置において、
前記駆動手段は、少なくともウォームギヤを備えたことを特徴とする画像形成装置。
【請求項４】
請求項１乃至３いずれかの画像形成装置において、
前記引き出しユニットの引き出し方向手前側に配置された装置本体の外装カバーの少なくとも引き出しユニットをカバーする部分を、引き出しユニットに取り付けて引き出しユニットと一体で引き出し可能に構成したことを特徴とする画像形成装置。
【請求項５】
請求項１乃至４いずれかの画像形成装置において、
前記引き出しユニットを装置本体にロックするときに前記ロック手段と当接するロック受け部を有し、
前記ロック受け部を、装置本体の前記引き出しユニットの引き出し方向奥側側板よりも、引き出しユニット側に設けたことを特徴とする画像形成装置。
【請求項６】
請求項５の画像形成装置において、
前記ロック手段が前記ロック受け部に当接して前記引き出しユニットが装置本体にロックされたとき、前記ロック手段が前記奥側側板から突出しないように構成したことを特徴とする画像形成装置。
【請求項７】
請求項１乃至６いずれかの画像形成装置において、
搬送路内での記録媒体の詰まりを検知する紙詰まり検知手段を備え、
前記制御手段は、前記跨り検知手段が、跨りを検知しておらず、かつ、紙詰まり検知手段が前記引き出しユニットの搬送路内での紙詰まりを検知しているとき、前記引き出しユニットの装置本体へのロックを解除するように前記ロック手段を制御することを特徴とする画像形成装置。
【請求項８】
請求項１乃至７いずれかの画像形成装置において、
前記引き出しユニットを引き出すときにユーザーが操作する操作手段と、
ユーザーが前記操作手段を操作するか否かを検知する操作検知手段とを備え、
前記制御手段は、前記操作検知手段が、前記操作手段の操作を検知したら、前記引き出しユニットの装置本体へのロックを解除するように前記ロック手段を制御することを特徴とする画像形成装置。
【請求項９】
請求項８の画像形成装置において、
前記制御手段は、前記操作検知手段が、前記操作手段の操作を検知しても、前記跨り検知手段が跨りを検知している場合、または、画像形成動作中の場合は、前記ロック手段のロック解除を行わないことを特徴とする画像形成装置。
【請求項１０】
請求項１乃至９いずれかの画像形成装置において、
操作者が行う機械的な操作によって、装置本体に対する前記引き出しユニットのロック及びロック解除を行う第２ロック手段を備えたことを特徴とする画像形成装置。
【請求項１１】
請求項１乃至１０いずれかの画像形成装置において、
前記引き出しユニットを引き出すときに、ユーザーの手を引っ掛けるために開口した取っ手部を有し、
前記取っ手部の開口を、装置内に外気を取り込むための吸気口または装置内の空気を排気するための排気口として用いたことを特徴とする画像形成装置。
【請求項１２】
請求項１乃至１１いずれかの画像形成装置において、
前記引き出しユニットは、該引き出しユニットを引き出したとき、引き出しユニット内の搬送経路のどの箇所で記録媒体が詰まっているかを報知する報知手段と、前記装置本体から前記引き出しユニットを引き出した状態において、前記装置本体内部と前記引き出しユニットとを電気的に接続する電線部材とを備えたことを特徴とする画像形成装置。
【請求項１３】
請求項１乃至１２いずれかの画像形成装置において、
前記引き出しユニットは、画像形成部の像担持体に当接する転写部材および前記転写部材を前記像担持体に対して接離させる接離機構を備え、前記像担持体上画像を前記記録媒体に転写する転写手段と、
少なくとも駆動源を備え、前記ロック手段および前記接離機構とを駆動する駆動手段を備え、
ロック状態からロック解除状態となるように、前記ロック手段を駆動させると、前記転写部材が像担持体との当接状態から離間状態となるように接離機構が駆動するように構成したことを特徴とする画像形成装置。
【発明の詳細な説明】
【技術分野】
【０００１】
本発明は、プリンタ、ファクシミリおよび複写機などの画像形成装置に関するものである。
【背景技術】
【０００２】
一般に、静電写真プロセスが利用されている画像成形装置では、給紙部に収容された記録媒体である用紙を、給紙搬送経路を通って画像形成部へ搬送し、画像形成部で作像されたトナー像が転写される。トナー像が転写された用紙は定着ユニットへ搬送され、用紙上のトナー像が定着される。トナー像が定着された用紙は、排紙搬送路を通って排紙トレイへ搬送されるか、反転搬送路へ搬送される。反転搬送路へ搬送された用紙は、反転させられて、再び、画像形成部へ搬送され、用紙の裏面にトナー像が転写される。
【０００３】
特許文献１には、上記給紙搬送路、上記反転搬送路を収納し、画像形成装置本体に対して引き出し自在に構成された引き出しユニットを備えた画像形成装置が記載されている。上記引き出しユニットに収納された搬送路内でジャム（紙詰まり）が生じた場合、引き出しユニットを置本体から引き出すことで、容易に用紙を除去できる。
【０００４】
ジャムが発生したとき、引き出しユニットの搬送路と、装置本体の搬送路との間に跨って用紙が存在する場合がある。このような状態で、引き出しユニットを引き出してしまうと、引き出しユニット側の部分と、装置本体側の部分とに用紙が裂けて破れる所謂泣き別れが生じ、用紙の除去作業が困難になるという不具合が生じる。
【０００５】
特許文献１に記載の画像形成装置においては、ジャムが発生した場合に引き出しユニットの搬送路と、装置本体の搬送路との間に跨って用紙が存在するか否かを検知し、跨って用紙が存在することを検知した場合は、この跨った用紙を跨がらない位置まで搬送するよう制御している。かかる構成を備えているので、用紙の泣き別れが生じるのを抑制することができる。
【０００６】
また、特許文献１では、跨った用紙を搬送中に、ユーザーが引き出しユニットを無闇に引き出さないようにするため、上記跨った用紙が、跨がらない位置まで搬送されるまで、ジャムが発生したことを、ユーザーに報知しないようにしている。
【発明の概要】
【発明が解決しようとする課題】
【０００７】
しかしながら、特許文献１に記載の画像形成装置においては、跨った用紙が例えば、Ａ３縦サイズのように、搬送方向に長い用紙の場合、跨った用紙を、跨らない位置まで搬送するのに時間を要する。よって、ユーザーによっては、いつものタイミングで用紙が排紙されないことを不審に思い、跨った用紙が、跨らない位置まで搬送される前に、引き出しユニットを引き出してしまうおそれがあった。その結果、用紙の泣き別れが生じ、用紙の除去作業が困難になるおそれがあった。
【０００８】
本発明は以上の課題に鑑みなされたものであり、その目的は、記録媒体の泣き別れを防止することができる画像形成装置を提供することである。
【課題を解決するための手段】
【０００９】
上記目的を達成するために、請求項１の発明は、記録媒体が積載された給紙部から搬送されてきた記録媒体を、画像形成部へ搬送する給紙搬送路、および／または画像が形成された記録媒体を排紙部へ搬送する排紙搬送路を収納し、装置装置本体に対して引き出し可能に構成された引き出しユニットを備えた画像形成装置において、前記引き出しユニットを装置本体にロックするロック手段と、装置本体側の搬送路と前記引き出しユニット側の搬送路との間で前記記録媒体が跨っているか否かを検知する跨り検知手段と、前記跨り検知手段が、跨りを検知しているとき、前記引き出しユニットを装置本体にロックするように前記ロック手段を制御する制御手段とを備えたことを特徴とするものである。
【発明の効果】
【００１０】
本発明によれば、跨り検知手段が、跨りを検知しているとき、引き出しユニットを装置本体にロックして、引き出しユニットが装置本体から引き出されないようにしたので、記録媒体が、引き出しユニット側の搬送経路と、装置本体側の搬送経路とに跨った状態で、引き出しユニットが引き出されるのを防止することができる。これにより、記録媒体の泣き別れを防止することができる。
【図面の簡単な説明】
【００１１】
【図１】実施の形態に係る画像形成装置の概略構成図。
【図２】画像形成装置の斜視図。
【図３】引き出しユニットを引き出したときの模式図。
【図４】引き出しユニットの斜視図。
【図５】用紙検知センサの配置位置の一例を示す図。
【図６】引き出しユニットが引き出された状態の画像形成装置の概略構成図。
【図７】（ａ）は、引き出しユニットのキャリアと前カバーとの分解斜視図。（ｂ）は、前カバーを引き出しユニットのキャリアに固定した斜視図。
【図８】前カバーを引き出しユニットと別体にした画像形成装置の斜視図。
【図９】前カバーを取り外した引き出しユニットの斜視図。
【図１０】ロック機構の構成を示す斜視図。
【図１１】駆動部の構成を示す斜視図。
【図１２】駆動部の正面図。
【図１３】２次転写ローラ接離機構の概略構成図。
【図１４】２次転写ローラを離間位置に位置させた状態を示す図。
【図１５】引き出しユニットが引き出された状態の装置本体部後側の斜視図。
【図１６】引き出しユニットが装置本体部にセットされた状態の装置本体部後側の斜視図。
【図１７】セット検知センサ付近の拡大構成図。
【図１８】ロック受け部材付近の拡大構成図。
【図１９】ロック受け部材の斜視図。
【図２０】２次転写駆動ユニットの配置位置を説明する図。
【図２１】ロック受け部材を図１９のＡ−Ａ方向に切った図
【図２２】本体後側板を示す斜視図。
【図２３】ロック検知機構を示す斜視図。
【図２４】制御系の要部構成の一例を示す機能ブロック図。
【図２５】ロック解除状態からロック状態に遷移する際のセット検知機構、ロック検知機構などの状態を説明する図。
【図２６】ロック解除からロック状態にするときの動作フロー図。
【図２７】引き出しユニットをロックしたときの駆動部の正面図。
【図２８】ロック状態からロック解除へ遷移するときの回転コロの移動について説明する図。
【図２９】ロック解除→ロック→ロック解除を、ロックシャフトの（１／２）回転動作で行うようにした形態を示す図。
【図３０】ロックしたときのロック受け部材とロック機構との引き出し方向の位置関係を説明する図。
【図３１】ジャム発生時の動作フロー図。
【図３２】前カバーの取っ手部周辺を示す拡大図。
【図３３】前カバーを引き出しユニットから外して裏面から見た斜視図。
【図３４】図３３の取っ手部付近の拡大斜視図。
【図３５】取っ手部周辺の分解斜視図。
【図３６】メカロック機構を取り外した状態の前カバーの取っ手部周辺を裏面から見た斜視図。
【図３７】ストッパの周辺の斜視図。
【図３８】ストッパが引き出しユニット前側板に保持されている構成を示す図。
【図３９】引き出しユニット前側板のストッパを保持している周辺を示す拡大斜視図。
【図４０】メカロック機構によるロック解除動作の説明図。
【図４１】メカロック機構によるロック動作の説明図。
【図４２】フラッパ開閉検知センサの検知結果に基づく制御フロー。
【発明を実施するための形態】
【００１２】
まず、図１を参照して本発明の実施の形態に係る画像形成装置１について説明する。本実施の形態では、画像形成装置１はタンデム型のカラー複写機としている。
図１に示すように、画像形成装置１は、自動原稿搬送装置（以下、ＡＤＦという）１０と、画像形成装置本体１１とから構成されている。また、画像形成装置本体１１は、給紙部３と、画像読取部４と、装置本体部５とから構成されている。
【００１３】
ＡＤＦ１０は、原稿トレイ２０と、原稿給紙ローラ２１と、原稿搬送ベルト２２と、原稿排紙ローラ２３と、原稿排紙トレイ２４とを含んで構成されている。ＡＤＦ１０は、画像読取部４に対し、ヒンジなどの開閉機構（図示せず）を介して開閉自在に取付けられている。
【００１４】
原稿給紙ローラ２１は、原稿トレイ２０に載置された原稿（図示せず）束から１枚ずつ分離して、画像読取部４に向かって搬送する。原稿搬送ベルト２２は、原稿給紙ローラ２１によって分離された原稿を画像読取部４に搬送する。原稿排紙ローラ２３は、原稿搬送ベルト２２によって画像読取部４から排紙される原稿を、原稿トレイ２０の下方の原稿排紙トレイ２４に排紙する。
【００１５】
画像読取部４は、筐体４０と、走査光学ユニット４１と、コンタクトガラス４２と、駆動手段（図示せず）とを含んで構成されている。
走査光学ユニット４１は、筐体４０の内部に設けられるとともに、ＬＥＤユニットを備えている。走査光学ユニット４１は、ＬＥＤユニットから主走査方向に光を照射するとともに、駆動手段によって全照射領域内において副走査方向に走査される。これにより、走査光学ユニット４１は、原稿の２次元カラー画像を読み取るようになっている。
【００１６】
コンタクトガラス４２は、画像読取部４の筐体４０の上部に設けられ、筐体４０の上面部を構成している。駆動手段は、走査光学ユニット４１に固定された不図示のワイヤと、このワイヤに橋架される複数の従動プーリ（不図示）および駆動プーリ（不図示）と、駆動プーリを回転させるモータとを備えている。
【００１７】
給紙部３は、給紙カセット３０と、給紙手段３１とを備えている。給紙カセット３０は用紙サイズの異なる記録媒体としての用紙（図示せず）を収容する。給紙手段３１は、給紙カセット３０に収納された用紙を装置本体部５の主搬送路７０まで搬送する。
【００１８】
また、装置本体部５の側面には、手差しトレイ３２が装置本体部５に対して開閉可能に配設されており、装置本体部５に対して開いた状態でトレイ上面に紙束が手差しされる。手差しされた紙束における一番上の用紙は、手差しトレイ３２の送出ローラによって主搬送路７０に向けて送り出される。
【００１９】
主搬送路７０には、レジストローラ対７０ａが配設されている。レジストローラ対７０ａは、主搬送路７０内を搬送されてくる用紙をローラ間に挟み込んだ後、所定のタイミングで２次転写ニップに向けて送り込む。
【００２０】
装置本体部５は、露光ユニット５１、タンデム画像形成装置５０、中間転写ベルト５４、中間転写ローラ５５、２次転写装置５２、定着ユニット５３などを有している。また、主搬送路７０、反転搬送路７３、排紙路６０などを有している。
【００２１】
図１に示すように、露光ユニット５１は、タンデム画像形成装置５０に隣接して配置されている。露光ユニット５１は、各色に設けられた感光体ドラム７４に露光を行うようになっている。
タンデム画像形成装置５０は、中間転写ベルト５４の上であって、中間転写ベルト５４の回転方向に沿ってイエロー、シアン、マゼンタ、ブラックの４つの画像形成手段７５から構成されている。個々の画像形成手段７５は、詳細な図示を省略するが、上記各色に設けられた感光体ドラム７４の周りに帯電装置、現像装置、感光体クリーニング装置、除電装置などを備えている。そして、各感光体ドラム７４とその周りに設けられる上記各装置がユニット化されて１つのプロセスカートリッジを構成している。
【００２２】
タンデム画像形成装置５０では、画像読取部４によって読み取られて色別分解された画像情報に基づいて、各感光体ドラム７４に色分けしてトナーにより形成された可視画像（トナー画像）を形成するようになっている。また、各感光体ドラム７４に形成された可視画像は、各感光体ドラム７４と中間転写ローラ５５との間で中間転写ベルト５４に転写されるようになっている。
【００２３】
一方、中間転写ベルト５４を挟んでタンデム画像形成装置５０の反対側には、２次転写装置５２が設けられている。２次転写装置５２は、転写部材としての２次転写ローラ５２１を有している。この２次転写ローラ５２１を中間転写ベルト５４に押し当てることにより、２次転写ニップを形成している。この２次転写ニップには、中間転写ベルト５４に形成されたトナー画像が、給紙部３から主搬送路７０を介して搬送された用紙に転写されるように構成されている。
【００２４】
２次転写ニップでトナー画像が転写された用紙は、２つの支持ローラ５７に張架された用紙搬送ベルト５６により定着ユニット５３へ送り込まれる。
【００２５】
定着ユニット５３は、無端ベルトである定着ベルト５８に加圧ローラ５９を押し当てて構成している。そして、定着ユニット５３は、加圧ローラ５９により用紙に熱と圧力を加えることにより、用紙に転写されたトナー画像のトナーを溶融して、用紙にカラー画像として定着するようになっている。
【００２６】
このようにしてカラー画像が定着された用紙は、排紙搬送路としての排紙路６０を経由して機外の排紙トレイ６１上にスタックされる。
【００２７】
また、図１に示すように、反転搬送路７３が、２次転写装置５２および定着ユニット５３の下側に設けられている。反転搬送路７３は、用紙の両面に画像を形成するために、定着ユニット５３から排出された用紙の表裏を反転させて再度、主搬送路７０を介して２次転写装置５２に供給するためのものである。
【００２８】
また、主搬送路７０や反転搬送路７３には、搬送経路に沿って複数の紙詰まり検知手段としての用紙検知センサが配置されている。なお、用紙検知センサの数や配置箇所は適宜設定される。各用紙検知センサが、それぞれ予め決められた時間内に用紙の通過を検知しないとき、用紙ジャムが発生したことを把握し、画像形成装置１の不図示の表示部などにジャムが発生したことを通知する。
【００２９】
また、本実施形態の画像形成装置１においては、図１で示した２次転写装置５２、定着ユニット５３、主搬送路７０、排紙路６０、反転搬送路７３、を保持し、装置本体部５に対して引き出し自在に構成された引き出しユニット７６を備えている。
【００３０】
図２は、画像形成装置１の斜視図である。
引き出しユニット７６は、２次転写装置５２、定着ユニット５３、主搬送路７０、反転搬送路７３を保持するキャリア７１を有している。また、キャリア７１には、前カバー６が取り付けられている。また、キャリア７１は、装置本体に設けられたレール７２により装置本体部５に対して前後方向（図２中、矢印ＦＲ）に移動可能に支持されている。前カバー６に設けられた取っ手部６ａをユーザが握って前カバー６を装置本体部５に対して前後方向（図２中、矢印ＦＲ）に移動することにより、引き出しユニット７６を装置本体部５に対して引き出すことができる。また、本明細書中において、画像形成装置１の前側Ｆとは画像形成装置１の手前側を意味するとともに、後側Ｒとは画像形成装置１の奥側を意味する。
【００３１】
図３は、引き出しユニット７６を引き出したときの模式図である。なお、この図３においては、キャリア７１に保持される２次転写装置５２、定着ユニット５３、主搬送路７０、反転搬送路７３については、図示を省略している。また、以下に図示する引き出しユニット７６においても、キャリア７１に保持される２次転写装置５２、定着ユニット５３、主搬送路７０、反転搬送路７３については、適宜図示を省略する。
図３に示すように、引き出しユニット７６には、電装基板１２０が配置されている。電装基板１２０には、ＣＰＵやＲＯＭなどを有している。ＲＯＭには、２次転写装置５２の制御、定着ユニット５３の制御、主搬送路７０における用紙の搬送制御、反転搬送路７３における用紙の搬送制御、ジャム検知制御などを行うための制御プログラムなどが記憶されている。本実施形態においては、図３に示すように、引き出しユニット７６を引き出した状態でも、電装基板１２０と装置本体とを電線としての束線１０５を用いて繋げて、電気的な接続が維持されるようになっている。このように、引き出しユニット７６に、キャリア７１に保持される装置の制御を行う電装基板１２０を配置することで、接続に必要な束線はこの電装基板１２０と装置本体とを繋ぐ束線１０５ひとつだけでよく、束線経路の確保が容易である。
【００３２】
図４は、引き出しユニット７６の斜視図である。
図４に示すように、前カバー６には、引き出しユニット７６を装置本体に閉じたときも、装置から露出しているアウターカバー部６０２と、装置本体部５から引き出しユニット７６を引き出したときに露出するインナーカバー部６０１とを備えている。このインナーカバー部６０１の上面には、用紙ジャムの発生箇所を報知するための報知手段としての、複数の引き出しユニットＬＥＤ１１２ａ〜１１２ｃが設けられている。
【００３３】
引き出しユニット７６に保持される２次転写装置５２、定着ユニット５３、主搬送路７０、排紙路６０、反転搬送路７３においてジャムが検知されると、ジャムが発生した箇所に対応する引き出しユニットＬＥＤ１１２ａ〜１１２ｃが発光する。本実施形態においては、図４に示したように、引き出しユニット７６を装置本体から引き出したときも、束線１０５により電気的に接続されている。よって、ユーザーがジャム処理のために引き出しユニット７６を引き出したときも、ジャムが発生した箇所に対応する引き出しユニットＬＥＤ１１２ａ〜１１２ｃを点灯させておくことができる。各引き出しユニットＬＥＤ１１２ａ〜１１２ｃは、ジャムが発生した箇所に対応する箇所に配置されている。例えば、第１の引き出しユニットＬＥＤ１１２ａは、引き出しユニット７６の給紙部３から２次転写ニップまでの搬送路に詰まった用紙を除去するときに操作する不図示の操作部材と対応する位置設けられている。第２の引き出しユニットＬＥＤ１１２ｂは、２次転写ニップから定着ユニット５３までの搬送路に詰まった用紙を除去するときに操作する不図示の操作部材と対応する位置設けられている。第３の引き出しユニットＬＥＤ１１２ｃは、定着ユニット５３から排紙トレイ６１まで排紙路６０に詰まった用紙を除去するときに操作する不図示の操作部材と対応する位置設けられている。また、図示してないが、反転搬送路７３内で詰まった用紙を除去するときに操作するアウターカバー部６０２の前面に設けられた不図示の操作部材に対応する箇所にも、引き出しユニットＬＥＤが設けられている。
【００３４】
図５は、紙詰まり検知手段としての用紙検知センサの配置位置の一例を示す図である。図５に示すように、レジストローラ対７０ａを通過する用紙を検知する２次転写前用紙検知センサ２０１ａ、用紙搬送ベルト５６を通過する用紙を検知する２次転写後用紙検知センサ２０１ｂを有している。また、定着ユニット５３の前に配置され、定着ユニット５３に搬送される用紙を検知する定着前用紙検知センサ２０１ｃ、定着ユニット５３の後に配置され、定着ユニット５３を通過した用紙を検知する定着後用紙検知センサ２０１ｄも有している。
【００３５】
例えば、ジャム発生時に、２次転写前用紙検知センサ２０１ａが用紙を検知している場合は、第１の引き出しユニットＬＥＤ１１２ａを点灯させる。また、ジャム発生時に、２次転写後用紙検知センサ２０１ｂや定着前用紙検知センサ２０１ｃが用紙を検知している場合は、第２の引き出しユニットＬＥＤ１１２ｂを点灯させる。また、ジャム発生時に、定着後用紙検知センサ２０１ｄが用紙を検知している場合は、第３の引き出しユニットＬＥＤ１１２ｃを点灯させる。
【００３６】
これにより、ユーザーは、点灯している引き出しユニットＬＥＤから、ジャム処理を行うためには、どの操作部材を操作すればよいかを容易に把握することができ、的確なジャム処理を行うことができる。また、ユーザーがジャム紙を除去し、用紙検知センサが用紙を検知しなくなったら、対応する引き出しユニットＬＥＤを消灯させる。そして、全ての引き出しユニットＬＥＤが点灯していないことをユーザーが目視で確認したら、引き出しユニット７６を装置本体に戻して、ジャム処理を終了する。これにより、ユーザーのジャム処理のし忘れを防止することもできる。
【００３７】
引き出しユニット７６は、装置本体の引き出しユニット引き出し方向長さ以上に引き出せるようにするのが好ましい。かかる構成とすることで、引き出しユニット７６に保持されている２次転写装置５２、定着ユニット５３、主搬送路７０、排紙路６０、反転搬送路７３を、完全に装置本体から引き出すことができる。これにより、ジャム処理を容易に行うことができる。
【００３８】
これら報知手段としての引き出しユニットＬＥＤ１１２ａ〜１１２ｃの配置に関しては、引出しユニット７６を開放した状態で正面から視認しやすい箇所に設けることが望ましい。本実施形態においては、引き出しユニット７６を装置本体から引き出したときに視認が容易と考えられる前カバー６のインナーカバー部６０１上面に設置した。
【００３９】
ジャムが発生して、用紙の搬送が停止したとき、引き出しユニット７６の搬送路と引き出しユニット以外の搬送路との間で用紙が跨いで停止する場合がある。本実施形態においては、図５で示すように、給紙部３から引き出しユニットに搬送されるときに用紙が跨ぐ給紙パス跨ぎ部Ａが存在する。また、手差しトレイ３２から引き出しユニットに搬送されるときに用紙が跨ぐ手差しパス跨ぎ部Ｂも存在する。さらに、引き出しユニット７６から排紙トレイ６１へ排紙されるときに用紙が跨ぐ排紙パス跨ぎ部Ｃも存在する。
【００４０】
図６は、引き出しユニット７６を引き出した時の画像形成装置１の概略構成図である。図６に示すように、引き出しユニット７６を引き出したとき、給紙部３、手差しトレイ３２、排紙トレイ６１は、装置本体側に位置している。
【００４１】
ジャム処理時において、これら跨ぎ部のいずれかで、用紙が跨った状態で引き出しユニット７６を引き出した場合、用紙の引き出しユニット側に位置する部分は、皺くちゃになりながら装置本体部側に寄っていく。また、用紙の装置本体部５または給紙部３側に位置する部分は、皺くちゃになりながら引き出しユニット７６の引き出し方向へ寄っていく。そして、引き出しユニット７６を完全に装置本体から引き出すと、用紙が引き裂かれてしまう所謂用紙の泣き別れが生じてしまう。装置本体部５から引き出された引き出しユニット７６の装置本体部側に寄って引きちぎられた用紙は、引き出しユニット７６の装置本体側の隙間などに複雑に入り込むなどして、用紙の取り出し作業が困難となる。同様に、装置本体部または給紙部の引き出し方向に寄って引きちぎられた用紙も装置本体部または給紙部の引き出し方向側の隙間などに複雑に入り込むなどして、用紙の取り出し作業が困難となる。このように、引き出しユニット７６および装置本体部５や給紙部３の一方向に皺くちゃに寄って隙間などに複雑に入り込んだ用紙を無理やり取り出そうとすると、用紙が破れて、紙片が引き出しユニット７６や装置本体部５（給紙部３）に残る場合があった。その結果、引き出しユニット７６に設けられた搬送ローラや装置本体部や給紙部に設けられた搬送ローラなどに紙片が噛み込んで、搬送不良が生じるおそれがあった。また、引き出しユニット７６などに設けられた用紙検知センサに紙片が留まると、良好なジャム検知を行うことができなくなるおそれがあった。
【００４２】
そこで、本実施形態においては、ジャム処理時において、上記跨ぎ部のいずれかで用紙が跨いだ状態のときは、引き出しユニット７６を装置本体から引き出せなくし、跨いでいる用紙が除去されたら、引き出しユニット７６を装置本体から引き出せるようにしている。
【００４３】
図５に示すように、本実施形態においては、給紙パス跨ぎ部Ａの近傍に、給紙パス跨ぎ部Ａでの用紙の跨ぎを検知する跨ぎ検知手段としての給紙搬送センサ２０７ａが設けられている。また、手差しパス跨ぎ部Ｂの近傍に、手差しパス跨ぎ部Ｂでの用紙の跨ぎを検知する跨ぎ検知手段としての手差し給紙センサ２０７ｂも備えている。また、排紙パス跨ぎ部Ｃの近傍に排紙パス跨ぎ部Ｃでの用紙の跨ぎを検知する跨ぎ検知手段としての排紙センサ２０７ｃも備えている。給紙搬送センサ２０７ａ、手差し給紙センサ２０７ｂは装置本体部５に設置されており、排紙センサ２０７ｃは引き出しユニット７６に設置されている。以下、上記用紙の跨ぎを検知する給紙搬送センサ２０７ａ、手差し給紙センサ２０７ｂ、排紙センサ２０７ｃについて、区別しない場合は、総称して跨ぎセンサ２０７と呼ぶ。これら跨ぎセンサ２０７がジャムを検知した場合は、後述するロック機構により、引き出しユニット７６を装置本体にロックする。
【００４４】
また、図５に示すように、装置本体部の右側カバー部材には、報知手段とのしての右上カバーＬＥＤ２０８ｂが設けられている。また、給紙部３の右側カバー部材には、右下カバーＬＥＤ２０８ａが設けられている。これらカバーＬＥＤ２０８ａ，２０８ｂも、ユーザーがジャム処理する際に、どこの箇所を操作するかを報知するためのものである。
【００４５】
図７（ａ）は、引き出しユニット７６のキャリア７１と前カバー６との分解斜視図であり、（ｂ）は、前カバー６を引き出しユニット７６のキャリア７１に固定した斜視図である。
前カバー６は引き出しユニット前側板１５０にネジ締結されており、工具を使わずには外れない構成になっている。このように、本実施形態では、前カバー６を引き出しユニット７６に固定することで、前カバー６を引き出すだけで、引き出しユニット７６を引き出すことができる。これにより、引き出しユニット７６を引き出す作業がワンアクションになり、図８に示すように、前カバー６を開閉して引き出しユニット７６を引き出す構成に比べて、ジャム処理の作業効率を高めることができる。
【００４６】
図９は、前カバー６を取り外した引き出しユニット７６の斜視図である。
図９は、装置本体部に引き出しユニットが収納されている状態を示している。
図９に示すように、引き出しユニット７６の図中右側端部（主搬送路７０側端部）には、束線１０５が配置されており、束線１０５は、コードガイド１３０に保持されている。束線１０５は、螺旋状にコードを巻いた所謂カールコードである。束線１０５をカールコードとすることで、束線１０５を引き出し方向に伸縮自在にできる。これにより、束線１０５を、伸縮しないものを用いた場合に比べて、束線１０５の撓みを抑制することができる。これにより、引き出しユニット７６の引き出し方向から見たとき、引き出しユニット７６から束線１０５がはみ出して撓むのを抑制することができ、束線１０５が装置本体内の部品に引っ掛かるのを抑制することができる。コードガイド１３０は、後述する装置本体部５の本体後側板５０１（図１５参照）に取り付けられている。図９に示すように、装置本体部５に引き出しユニットが収納されている状態のとき、コードガイド１３０は、引き出しユニット７６に収納されている。引き出しユニット７６が、装置本体から引き出されると、コードガイド１３０は、引き出しユニット後側板１５１から相対的に束線１０５とともに引き出しユニット７６から引き出される。これにより、引き出しユニット７６から相対的に引き出された束線１０５は、コードガイド１３０にガイドされ、撓むのを防止することができる（図１５参照）。
【００４７】
引き出しユニット前側板１５０と後側板１５１とには、ロックシャフト７０３が回転自在に支持されている。ロックシャフト７０３の後側端部には、ロック手段としてのロック機構１６０が設けられている。
【００４８】
図１０は、ロック機構１６０の構成を示す斜視図である。
図１０に示すように、ロックシャフト７０３の後側端部は、引き出しユニット後側板１５１から突出しており、その端部に、ロック機構１６０が取り付けられている。ロック機構１６０は、ロックシャフト７０３に固定された角柱形状の嵌合部材１６３を有している。また、ロック機構１６０には、ロックシャフト７０３の軸方向と直交する方向に貫通するように嵌合部材１６３に固定されたコロ軸１６１を有している。このコロ軸１６１の両端部付近には、コロ軸１６１に対して回動可能に取り付けられた回転コロ１６２を有している。
【００４９】
また、図１０に示すように、ロックシャフト７０３は、焼結軸受７２１を介して、引き出しユニット後側板１５１に取り付けられている。また、引き出しユニット後側板１５１の前側面に接触するように、Ｅリング７２２がロックシャフト７０３に設けられた溝に固定されている。
【００５０】
また、先の図９に示すように、引き出しユニット前側板１５０には、ロックシャフト７０３を介して、ロック機構１６０を回転駆動させる駆動部７００が設けられている。
【００５１】
図１１は、駆動部７００の構成を示す斜視図である。
図１１に示すように、駆動部７００は、駆動モータ７０１を備えている。駆動モータ７０１は、モータ軸が、引き出しユニット前側板１５０と平行となるように引き出しユニット前側板１５０に固定されている。このように駆動モータ７０１を固定することで、駆動モータ７０１のモータ軸を引き出しユニット前側板１５０に対して直交するように固定した場合に比べて、引き出しユニット７６が、引き出し方向に大型化するのを抑制することができる。
【００５２】
駆動モータ７０１のモータ軸には、ウォームギヤ７０４のネジ歯車７０４ａが固定されている。このネジ歯車７０４ａと噛み合うウォームギヤ７０４のハス歯歯車７０４ｂから、複数のアイドラギヤからなるギヤ列７０５を経て、ロックシャフト７０３に固定された従動ギヤ７０６に駆動モータ７０１の駆動力が伝達され、ロックシャフト７０３が回転駆動する。
【００５３】
図１２は、駆動部７００の正面図である。
図１２に示すように、ウォームギヤ７０４、ギヤ列７０５を構成する複数のアイドラギヤ、ロックシャフト７０３に固定された従動ギヤ７０６は、ケース７０２に収納されている。
ロックシャフト７０３の前側端部には、後述する２次転写ローラ５２１を中間転写ベルト５４に対して接離させる接離機構に駆動を伝達するリンク機構７１０が接続されている。
【００５４】
リンク機構７１０は、出力リンク部材７１１、連結リンク部材７１２、入力リンク部材７１３を備えている。出力リンク部材７１１の一端は、ロックシャフト７０３に固定されており、他端に出力突起部７１１ａを備えている。ロックシャフト７０３の前側端部は、断面Ｄ字形状をしており、出力リンク部材７１１の一端にＤ字形状の嵌合孔を形成し、ロックシャフト７０３の前側端部に嵌め込む。出力リンク部材７１１がロックシャフト７０３から抜け出さないようにＥリング７１４をロックシャフト７０３に取り付ける。これにより、出力リンク部材７１１が、ロックシャフト７０３に固定される。
【００５５】
出力リンク部材７１１の出力突起部７１１ａには、連結リンク部材７１２の一端が回動可能に取り付けられている。連結リンク部材７１２の他端には、長穴７１２ａが形成されており、この長穴７１２ａに入力リンク部材７１３の一端に設けられた入力突起部７１３ａが嵌合している。また、後述する接離機構に駆動力を入力する入力軸３６１の端部も、断面Ｄ字形状となっており、入力リンク部材７１３の他端に形成されたＤ字形状の嵌合孔を入力軸３６１の一端に嵌め込んでいる。そして、Ｅリング７１４を入力軸３６１に取り付けて、入力リンク部材７１３が入力軸３６１から抜け出さないようにしている。
【００５６】
ロックシャフト７０３から入力軸３６１への駆動伝達にリンク機構７１０を用いることで、各リンク部材として、板材を用いることができ、ギヤにより駆動伝達する場合に比べて、引き出しユニット７６を引き出し方向に大型化するのを抑制することができる。
【００５７】
ここで、２次転写ローラ５２１を中間転写ベルト５４に対して接離させる接離機構について説明する。接離機構は、２次転写ローラの軸方向両端（前側と後側）に設けられており、同じ構成を有している。
図１３は、２次転写ローラ５２１の軸方向一端側に設けられる接離機構の概略構成図である。
２次転写ローラ５２１は、保持部材３５４に回転自在に支持されている。保持部材３５４は、２次転写装置のフレーム３５０に取り付けられた支持軸３５９に回転自在に支持されている。保持部材３５４の支持軸３５９側と２次転写ローラ５２１を挟んで反対側の端部には、バネ受け３５４ａが設けられている。このバネ受け３５４ａにスプリング３５１の一端が取り付けらており、保持部材３５４は、このスプリング３５１により図中上方（中間転写ベルト５４側）に付勢されている。また、保持部材３５４の支持軸３５９側と２次転写ローラ５２１を挟んで反対側には、長穴３５４ｃが設けられており、この長穴３５４ｃに上述の入力軸３６１が貫通している。この入力軸３６１には、解除カム３６２が取り付けられている。保持部材３５４には、解除カム３６２が突き当たる突き当て部３５４ｂが設けられている。
【００５８】
図１３に示すように、解除カム３６２が、突き当て部３５４ｂから離間している状態のときは、２次転写ローラ５２１は、スプリング３５１の付勢力により所定の圧力で中間転写ベルト５４に当接している。引き出しユニット７６を引き出すときは、入力軸３６１が回動せしめられ、解除カム３６２が図中時計回りに回動する。すると、解除カム３６２が、突き当て部３５４ｂに突き当たる。さらに入力軸３６１が回動すると、解除カム３６２により保持部材３５４が、図１４に示すように、スプリング３５１の付勢力に抗して支持軸３５９を支点にして図中時計回りに回動せしめられる。これにより、２次転写ローラ５２１が、中間転写ベルト５４から離間する。すなわち、本実施形態においては、保持部材３５４、スプリング３５１、解除カム３６２などにより、２次転写ローラ５２１を中間転写ベルト５４に対して接離する接離機構を構成している。
なお、本実施形態においては、２次転写ローラ５２１は、図１３に示す加圧位置から図１４に示す退避位置まで、約５〜７ｍｍ移動する構成をとっている。
【００５９】
図１５は、引き出しユニット７６が引き出された状態の装置本体部後側の斜視図であり、図１６は、引き出しユニット７６が装置本体部５にセットされた状態の装置本体部後側の斜視図である。
装置本体部５の本体後側板５０１の図中左側端部付近には、引き出しユニット７６の図中左側端部に設けられた位置決めピン１５２が挿入される位置決め穴５０２が設けられている。位置決めピン１５２は、位置決め穴５０２に嵌合する嵌合部１５２ｂ、嵌合部１５２ｂを位置決め穴に案内するための先細り形状の案内部１５２ａを備えている。また、後述するロック機構１６０により引き出しユニットが装置本体部５にロックされたとき、本体後側板５０１に押し当たる嵌合部１５２ｂよりも大径の座面部１５２ｃを有している。
【００６０】
また、本体後側板５０１には、引き出しユニット７６が装置本体部５にセットされたことを検知するためのセット検知センサ１７２が設けられている。引き出しユニット後側板１５１には、セット検知センサ１７２により検知される被セット検知部としてのフィラー１７１が設けられている。すなわち、本実施形態においては、セット検知センサ１７２、フィラー１７１などで、引き出しユニット７６の装置本体部５のセットを検知するセット検知手段としてのセット検知機構を構成している。
【００６１】
図１７は、セット検知センサ１７２付近の拡大構成図である。
図１７に示すように、セット検知センサ１７２としては、フォトインタラプタ（透過型光学センサ）を用いている。そして、引き出しユニット７６が装置本体部５にセットされると、引き出しユニット後側板１５１に設けられたセット検知用フィラー１７１が、セット検知センサ１７２の受光部１７２ｂと発光部１７２ａの間に入り込み、発光部１７２ａの光を遮る。これにより、受光部１７２ｂが発光部１７２ａからの光を検知しなくなり、引き出しユニット７６が、装置本体部５にセットされたことを検知することができる。
【００６２】
また、先の図１５、図１６に示すように、引き出しユニット７６が装置本体部５にロックされているとき、上述したロック機構１６０の回転コロ１６２が押し当たるロック受け部材１８０が設けられている。
【００６３】
図１８は、ロック受け部材１８０付近の拡大構成図であり、図１９は、ロック受け部材１８０の斜視図である。
ロック受け部材１８０には、ロック機構１６０が挿入されるロック用貫通孔１８４が設けられている。ロック用貫通孔１８４の上部には、２次転写ローラ５２１の軸に固定された継手部材３５３ｂが、挿入される２次転写用貫通孔１８５が設けられている。図１９に示すように、ロック受け部材１８０の２次転写用貫通孔１８５およびロック用貫通孔１８４は、筒状形状をしている。
【００６４】
引き出しユニット７６が装置本体部５にセットされると、上記継手部材３５３ｂが上記２次転写用貫通孔１８５を貫通して、図２０に示す２次転写駆動ユニット８００の不図示の継手部材に組み付けられる。これにより、２次転写モータの駆動力により、２次転写ローラ５２１が回転駆動する。
【００６５】
図１８に示すように、ロック用貫通孔１８４の内周面には、ロック機構１６０の回転コロ１６２が接触して引き出しユニット７６を装置本体部５にロックするためのロック受け部としてのロック受け面１８２ａ，１８２ｂが形成されている。また、各ロック受け面１８２ａ，１８２ｂの図中時計回り方向側端部には、ロック機構１６０の回転コロ１６２をロック受け面１８２ａ，１８２ｂに案内するための案内面１８３ａ，１８３ｂがそれぞれ接続されている。
【００６６】
図２１は、ロック受け部材を図１９のＡ−Ａ方向に切った図であり、（ａ）は、ロック受け部材１８０を横側から見た断面図であり、（ｂ）は、ロック受け部材の断面斜視図である。
図２１に示すように、各案内面１８３ａ，１８３ｂは、ロック受け面１８２ａ，１８２ｂから離れるに連れて、引き出しユニット側（前側）へ傾斜したテーパ面となっている。
【００６７】
また、先の図１８に示すように、各案内面１８３ａ，１８３ｂの図中時計回り側端部側には、ロック機構１６０の回転コロ１６２が挿入されるための切り欠き１８１ａ，１８１ｂが形成されている。
【００６８】
また、ロック受け面１８２ａ，１８２ｂの図中反時計回り側端部にも、前側へ傾斜した傾斜面１８６ａ，１８６ｂが形成されている。
【００６９】
図２２に示すように、ロック受け部材１８０の筒状形状の２次転写用貫通孔１８５およびロック用貫通孔１８４は、本体後側板５０１よりも引き出しユニット７６側に突出している。このように、ロック受け部材１８０を、本体後側板５０１の引き出しユニット側と反対側の面から突出させないようにしている。先の図２０に示すように、２次転写駆動ユニット８００が、ロック受け部材１８０と対向するように、本体後側板５０１の後面にネジ８０１によりネジ止めされている。ロック受け部材１８０が、本体後側板５０１の引き出しユニット側と反対側の面から突出させた場合、２次転写駆動ユニット８００を、ロック受け部材１８０の突出分、本体後側板５０１の後ろ面から離して設けなければならない。その結果、装置が引き出し方向に大型化するおそれがある。
【００７０】
本体後側板５０１は、感光体などを備えたプロセスカートリッジ、中間転写ベルト５４などを備えた転写ユニット、定着ユニットや２次転写装置などを収納した引き出しユニット７６などを装置本体部５内で位置決めするための部材である。このため、本体後側板５０１は、画像読取部４の筐体４０（図１参照）の後側側面に固定している。このように、本体後側板５０１を画像読取部４の筐体４０（図１参照）の後側側面に固定することで、装置本体部５内で、本体後側板５０１は、引き出し方向に傾かずに固定することができる。これにより、プロセスカートリッジ、転写ユニット、引き出しユニット７６などを装置本体部５内で精度良く位置決めすることができる。一般的に、画像読取部４前後方向長さは、この画像形成装置が、画像形成可能な画像の幅方向長さより長い。一方、引き出しユニット７６などの前後方向長さは、画像形成可能な画像の幅方向長さよりも多少長いくらいである。よって、引き出しユニット７６を装置本体部５に装着したとき、引き出しユニット後側板１５１と、本体後側板５０１との間には、ある程度の隙間を有する。よって、ロック受け部材１８０を、本体後側板５０１の引き出しユニット側（前側）に突出させても、引き出しユニット後側板１５１が邪魔になることがない。よって、ロック受け部材１８０を、本体後側板５０１の引き出しユニット側に突出させることで、装置が引き出し方向に大型化するのを抑制することができる。
【００７１】
次に、引き出しユニット７６がロック状態か、ロック解除状態かを検知するロック検知手段としてのロック検知機構について説明する。
図２３は、ロック検知機構を示す斜視図である。
図２３に示すように、ロック検知機構は、ロックシャフト７０３に取り付けられ、一部が欠けた円盤形状のロック検知用フィラー１９２と、フォトインタラプタ（透過型光学センサ）のロック検知センサ１９１とを有している。ロック検知用フィラー１９２が、ロック検知センサ１９１の受光部１９１ｂと発光部１９１ａの間に入り込み、発光部１９１ａの光を遮る。これにより、受光部１９１ｂが発光部１９１ａからの光を検知しなくなり、受光部１９１ｂからの信号が「ＯＦＦ：遮蔽状態」となる。一方、ロック検知用フィラー１９２が、発光部１９１ａと受光部１９１ｂとの間にないときは、受光部１９１ｂは、発光部１９１ａからの光を受光する。これにより、受光部１９１ｂからの信号が「ＯＮ：非遮蔽状態」となる。この受光部１９１ａからのＯＮ／ＯＦＦ信号に基づいて、制御部１２１（図２４参照）は、引き出しユニット７６がロック状態か、ロック解除状態かを把握する。
【００７２】
図２４は、本実施形態の制御系の要部構成の一例を示す機能ブロック図である。
図２４に示すように、制御手段としての制御部１２１には、駆動モータ７０１、用紙検知センサ２０１ａ〜２０１ｄ、引き出しＬＥＤ１１２ａ〜１１２ｃなどが接続されている。また、跨ぎ検知センサ２０７ａ〜２０７ｃ、ロック検知センサ１９１、セット検知センサ１７２、右カバーＬＥＤ２０８ａ，２０８ｂなどが接続されている。制御部１２１は、例えば予め組み込まれた制御プログラムが実行されることにより、駆動モータ７０１を制御して、引き出しユニット７６のロックを制御したり、引き出しＬＥＤ１１２ａ〜１１２ｃや右カバーＬＥＤ２０８ａ，２０８ｂを点灯させたりする。
【００７３】
次に、引き出しユニット７６のロック動作につい説明する。
図２５は、ロック解除状態からロック状態に遷移する際のセット検知機構、ロック検知機構などの状態を説明する図であり、図２６は、ロック解除からロック状態にするときの動作フロー図である。
図２５（ａ）に示すように、引き出しユニット７６のロックが解除されて、引き出し可能状態のとき（Ｓ１）、ロック機構１６０の回転コロ１６２が、ロック受け部材１８０の切り欠き１８１ａ，１８１ｂに対応する箇所にある。また、ロック解除状態のとき、ロック検知機構のロック検知用フィラー１９２が、丁度、ロック検知センサ１９１の受光部１９１ｂと発光部１９１ａとの対向部から抜けたところに位置している。よって、このとき、ロック検知センサの受光部１９１ｂは、発光部１９１ａの光を検知しており、「ＯＮ：非遮蔽状態」となっている。また、このとき、２次転写ローラ５２１は、中間転写ベルト５４から離間した離間位置に位置しており、リンク機構７１０は、先の図１２のような状態となっている。
【００７４】
この状態から、引き出しユニット７６を装置本体部５にセットしていくと（Ｓ２）、ロック機構１６０が、ロック受け部材１８０のロック用貫通孔１８４に挿入されていく。そして、回転コロ１６２が、案内面１８３ａ，１８３ｂの引き出しユニット側端部よりも後側まで移動すると、セット検知用フィラー１７１が、セット検知センサ１７２の受光部１７２ｂと発光部１７２ａの間に入り込み、発光部１７２ａの光を遮る。これにより、セット検知部が、引き出しユニット７６のセットを検知し（Ｓ３）、先の図１１に示した駆動モータ７０１の駆動を開始し（Ｓ４）、ロックシャフト７０３を回転させる。
【００７５】
ロックシャフト７０３が回転すると、図２５（ｂ）に示すように、ロック機構１６０の回転コロ１６２が案内面１８３ａ，１８３ｂに接触し、案内面１８３ａ，１８３ｂに案内されながら、後側のロック受け面１８２ａ，１８２ｂへ移動する。このように、回転コロ１６２が、案内面１８３ａ，１８３ｂに案内されながら、後側へ移動することで、ロックシャフト７０３が、後側へ引き込まれる。先の図１０に示したように、引き出しユニット後側板１５１の前側面に接触するように、ロックシャフト７０３の溝にＥリング７２２が固定されている。よって、ロックシャフト７０３が後側に移動しようとすると、Ｅリング７２２により引き出しユニット後側板１５１が後側押され、引き出しユニット７６が装置本体部５へ引き込まれる。
【００７６】
また、ロックシャフト７０３、リンク機構７１０を介して、上述した接離機構が駆動して、２次転写ローラ５２１が離間位置から、接触位置へ移動する。
【００７７】
回転コロ１６２は、コロ軸１６１に回転自在に取り付けられているので、回転コロ１６２が回転しながら、案内面１８３ａ，１８３ｂを移動する。これにより、案内面１８３ａ，１８３ｂとの摩擦抵抗の増加を抑制することができ、スムーズに引き出しユニットを後側に引きこむことができる。
【００７８】
本実施形態においては、ロック機構１６０による引き込みが開始されてから、位置決めピン１５２が、位置決め穴５０２に嵌合して位置決めが行われる構成としている。引き込みが開始される（セット検知用フィラー１７１をセット検知センサ１７２が検知する）前に、位置決めピン１５２の嵌合部１５２ｂが位置決め穴５０２に嵌合する構成の場合、手動で引き出しユニット７６を押し入れているときに、嵌合部１５２ｂが位置決め穴５０２に嵌合する。その結果、手動で押し入れている途中で押し入れる際の抵抗が増加する。その結果、ユーザーが上記引き込み開始位置まで押し入れたと勘違いして、引き出しユニットの押し入れを止めてしまうおそれがある。
【００７９】
一方、本実施形態においては、ロック機構１６０による引き込みが開始されてから、位置決めピン１５２が、位置決め穴５０２に嵌合して位置決めが行われる構成としている。よって、ロック機構１６０による引き込み開始位置（セット検知用フィラー１７１をセット検知センサ１７２が検知する位置）へ引き出しユニット７６を押し入れるまで、押し入れ抵抗が急激に増加するのを抑制することができる。これにより、確実に、ロック機構１６０による引き込み開始位置まで、手動で引き出しユニットを押し入れさせることができる。
【００８０】
また、引き出しユニット７６と、装置本体部とにコネクタを設けて、引き出しユニットを装置本体にセットしたら、引き出しユニットのコネクタが装置本体のコネクタに嵌合して通電する構成にした場合、コネクタ同士が嵌合してからでないと駆動モータ７０１を駆動することができない。コネクタ同士が嵌合する際、引き出しユニットの押し入れ抵抗が増加する。よって、ユーザーが上記引き込み開始位置まで押し入れたと勘違いして、引き出しユニットの押し入れを止めてしまうおそれがある。
【００８１】
しかし、本実施形態においては、束線１０５により引き出しユニット７６を引き出した状態でも、引き出しユニット７６は、通電状態であり、駆動モータ７０１を駆動させることができる。よって、引き出しユニットのコネクタが装置本体のコネクタに嵌合して通電する構成にした場合に比べて、引き出しユニットを引き込み開始位置まで確実に手動で押し入れさせることができる。
【００８２】
位置決めピン１５２が、位置決め穴５０２に嵌合した後も、案内面１８３ａ，１８３ｂにより引き出しユニット７６は、後側に引き込まれ、引き出しユニット後側板１５１に設けられた位置決めピン１５２の座面部１５２ｃなどが、本体後側板５０１に突き当たる。そして、図２５（ｃ）に示すように、ロック機構１６０の回転コロ１６２が、ロック受け面１８２ａ，１８２ｂに到達すると、ロック検知センサの受光部１９１ｂと発光部１９１ａとの間にロック検知用フィラー１９２が入り込み、「ＯＦＦ：遮蔽状態」となる。これにより、ロック検知機構により、引き出しユニット７６が装置本体部５にロックされたことが検知され（Ｓ５）、駆動モータ７０１の駆動が停止される（Ｓ６）。また、このとき、２次転写ローラが、所定の圧力で中間転写ベルト５４に当接する。このときのリンク機構７１０は、図２７に示す状態となっている。
【００８３】
本実施形態においては、引き出しユニット後側板１５１に設けられた位置決めピン１５２の座面部１５２ｃなどが、本体後側板５０１に突き当たってから、０〜１ｍｍ引き出しユニット７６を後側に引きこんで、引き出しユニット７６が装置本体にロックされる。これにより、引き出しユニット７６が、前後方向にガタなく装置本体部５にロックすることができる。その結果、画像形成時の振動などにより、画像が乱れたりするのを抑制することができる。なお、水平方向に長い引き出しユニット後側板１５１や、本体後側板５０１などが撓んだり、引き出しユニット７６の本体後側板５０１に突き当たる部材のうち樹脂で形成されたものが弾性変形したりすることで、位置決めピン１５２の座面部１５２ｃなどが、本体後側板５０１に突き当たってから、０〜１ｍｍ引き出しユニット７６を後側に引きこむことができる。
【００８４】
後述するように、ジャムなどが発生し、引き出しユニット７６を引き出す必要性が生じたときは、駆動モータ７０１を回転させ、ロック機構１６０を図中反時計回りに回動させる。すると、回転コロ１６２が、ロック受け面１８２ａ，１８２ｂから傾斜面１８６ａ，１８６ｂへ移動する。そして、図２５（ｄ）に示すように、ロック受け面１８２ａに当接していた回転コロ１６２が、切り欠き１８１ａの位置へ到達し、ロック受け面１８２ｂに当接していた回転コロ１６２が、切り欠き１８１ｂの位置へ到達すると、ロック検知用フィラー１９２がロック検知センサの受光部１９１ｂと発光部１９１ａとの間に存在しなくなる。これにより、「ＯＦＦ：遮蔽状態」から「ＯＮ：非遮蔽状態」に切り替わり、ロック検知機構により、引き出しユニット７６のロックが解除されたことを検知することができる。
【００８５】
また、先の図２７に示した状態から、ロックシャフト７０３が、図２７の時計回りに回動すると、入力軸３６１が図２７の反時計回りに少し回動した後、入力軸３６１の回動方向が図２７の時計回り方向に切り替わる。これにより、２次転写ローラ５２１が中間転写ベルト５４に近接する方向から離間する方向に切り替わる。そして、ロックが解除されると、リンク機構７１０は、先の図１２に示した状態となり、２次転写ローラ５２１が中間転写ベルト５４から離間した位置に到達する。
【００８６】
このように、本実施形態においては、自動で引き出しユニットのロックおよびロック解除することができる。よって、レバーなどを引き出しユニットに設けて、手動で引き出しユニットのロックおよびロック解除する場合に比べて、ジャム処理作業を簡素化することができる。これにより、ジャム処理作業の効率化を図ることができる。
【００８７】
また、２次転写ローラ５２１の中間転写ベルト５４に対する接離が、引き出しユニット７６のロック動作に連動して行われる。これにより、引き出しユニット７６が引き出し可能な状態のときは、必ず、２次転写ローラ５２１を中間転写ベルト５４から離間させた状態にすることができる。よって、引き出しユニット７６を装置本体から引き出すときに、２次転写ローラ５２１が中間転写ベルト５４と擦れるのを防止することができ、２次転写ローラ５２１の表面や中間転写ベルト５４表面に傷が発生するのを抑制することができる。また、２次転写ローラ５２１の中間転写ベルト５４への当接し忘れが生じることがない。
【００８８】
また、駆動モータ７０１の駆動により自動で引き出しユニット７６のロック解除が行われるので、ロックを解除する作業が不要となる。これにより、手動でロックを解除する構成に比べて、引き出しユニット７６の引き出し作業を容易に行うことができる。
【００８９】
また、本実施形態においては、先の図２に示したように、前カバー６を引き出しユニット７６に固定して、前カバー６が引き出しユニット７６ともに、引き出されるように構成している。かかる構成において、引き出しユニット７６のロックおよびロック解除を手動で行う構成とした場合、操作部を、装置から露出した箇所に設ける必要がある。そのため、装置の見栄えが悪くなるという不具合が生じる。そこで、例えば、取っ手部６ａに引き出しユニットのロック解除を行うための操作部を設けることも考える。具体的には、ユーザーが取っ手部６ａを握ると、操作部が押されて、ロック解除が成されるような構成である。しかしながら、本実施形態においては、上述したように、位置決めピン１５２の座面部１５２ｃなどが、本体後側板５０１に突き当たってから、０〜１ｍｍ引き出しユニット７６を後側に引きこんでロックしている。このため、回転コロ１６２を、ロック受け面１８２ａ，１８２ｂから移動させて、ロック解除させたり、案内面１８３ａ，１８３ｂを移動させて、ロックさせたりするときに、大きな力が必要となってくる。このように、強固に装置本体部５にロックされる引き出しユニット７６を、ユーザーの操作部の操作で容易にロックおよびロック解除できる構成とするには、操作部の操作量を多くする必要がある。よって、取っ手部６ａを握るときの操作量で、強固に装置本体部５にロックされる引き出しユニット７６のロックおよびロック解除するような構成とした場合、操作にかなり大きな力が必要となり、操作部を容易に動かすことができない。
【００９０】
これに対し、本実施形態においては、引き出しユニットのロックおよびロック解除を自動で行うことで、装置の見栄えを損なうのを防止することができる。
【００９１】
また、ロックシャフト７０３が容易に回転する構成であると、引き出しユニット７６を装着するときに、ロックシャフト７０３が回転するおそれがある。引き出しユニット７６を装着するときに、ロックシャフト７０３が回転すると、ロック機構１６０の回転コロ１６２が切り欠き１８１ａ，１８１ｂに挿入されずに、案内面１８３ａ，１８３ｂなどに突き当り、引き出しユニット７６が装着できなくなるおそれがある。また、引き出しユニット７６が装置本体部５に装着されているときに、振動などによりロックシャフト７０３が回転し、引き出しユニットのロックが解除されるおそれもある。そのため、本実施形態においては、駆動モータ７０１からロックシャフト７０３への駆動伝達に減速比が大きく高トルクのウォームギヤ７０４を用いた。ウォームギヤ７０４を用いることで、ロックシャフト７０３が容易に回転できないようにすることができる。これにより、引き出しユニット７６が装置本体に装着できなかったり、振動などによりロックが外れたりする不具合を防止することができる。
【００９２】
また、本実施形態においては、図１７に示すように、セット検知センサ１７２を、ロック受け部材１８０の近傍に配置している。ロック受け部材１８０から離れた位置にセット検知センサ１７２を配置した場合、次の不具合が生じる。すなわち、引き出しユニット後側板１５１の変形や、本体後側板５０１の変形の影響を大きく受け、回転コロ１６２が案内面１８３ａ，１８３ｂよりも後側に位置する前にセット検知センサ１７２がフィラー１７１を検知するおそれがあるという不具合である。
【００９３】
一方、本実施形態のように、セット検知センサ１７２を、ロック受け部材１８０の近傍に配置することで、引き出しユニット後側板１５１の変形や、本体後側板５０１の変形の影響を抑えることができる。これにより、回転コロ１６２が案内面１８３ａ，１８３ｂよりも後側に位置する前にセット検知センサ１７２がフィラー１７１を検知してしまう不具合を抑制することができる。
【００９４】
また、本実施形態においては、ロックを解除するとき、各回転コロ１６２は、ロック受け面１８２ａ，１８２ｂから傾斜面１８６ａ，１８６ｂへ案内されて、切り欠き１８１ａ，１８１ｂへ移動する。このように、傾斜面１８６ａ，１８６ｂを設けることで、トルクが急激に変化するのを抑制することができ、駆動モータ７０１などに負荷がかかるのを抑制することができる。
【００９５】
また、本実施形態においては、図２８に示すように、ロック解除→ロック→ロック解除を、ロックシャフト７０３の１回転動作で行っている。これは、先の図１２、図２７を用いて説明したように、リンク機構７１０を用い、ロックシャフト７０３の１回転動作において入力軸３６１の回転方向を切り替えて、２次転写ローラ５２１を中間転写ベルト５４に対して接離させているからである。よって、引き出しユニット７６のロックと、２次転写ローラ５２１の接離とをそれぞれ別に行う場合は、図２９に示す構成としてもよい。
【００９６】
図２９に示す構成は、図に示すように、ロック解除→ロック→ロック解除を、ロックシャフト７０３の（１／２）回転動作で行うようにしたものである。このため、ロック検知機構のロック検知用フィラー１９２を扇形状にして、ロックシャフト７０３の円周方向に２箇所、１８０°の間隔を開けて設けた構成にしている。かかる構成とすることで、ロック受け面１８２ａに当接していた回転コロ１６２が、切り欠き１８１ｂに到達した段階で、ロック検知センサ１９１が、「ＯＦＦ：遮蔽状態」から、「ＯＮ：非遮蔽状態」に切り替わり、ロックが解除されたことが検知される。かかる構成とすることで、ロック状態からロック解除状態に遷移するまでの時間を短縮することができる。
【００９７】
また、本実施形態においては、図３０に示すように、引き出しユニット７６をロックした状態において、ロック機構１６０の後側端部は、本体後側板５０１の後側の面よりも距離Ｄだけ、前側に位置している。このように、装置本体にロックされたとき、ロック機構１６０が、本体後側板５０１の後面から突出しないようになっている。よって、先の図２０に示したロック受け部材１８０に対向して設けられる２次転写駆動ユニット８００を、本体後側板５０１の後面に接触させて設けることができる。これにより、画像形成装置の前後方向の小型化を図ることができる。
【００９８】
図３１は、ジャム発生時の動作フロー図である。
画像形成動作が行われているとき、引き出しユニット７６は、装置本体部５にロックされている（Ｓ１１）。
主搬送路７０や反転搬送路７３などの搬送経路に沿って配置された複数の用紙検知センサにより用紙ジャムが発生したことを検知したら（Ｓ１２）、各搬送ローラの駆動を停止する。次に、制御部１２１は、跨ぎ検知センサである給紙搬送センサ２０７ａが用紙を検知していないかチェックする（Ｓ１３）。
【００９９】
給紙搬送センサ２０７ａが、用紙を検知しているとき（Ｓ１３のＮｏ）は、先の図５に示した給紙パス跨ぎ部Ａに用紙が存在する。よって、このときは、給紙部３の右側カバー部材に設けられた右下カバーＬＥＤ２０８ａを点灯させるとともに、不図示の操作表示部に給紙パス跨ぎ部Ａに用紙が存在する旨や、ジャム処理作業箇所、ジャム処理方法などを表示して、ユーザーに報知する（Ｓ１５）。ユーザーは、不図示の操作表示部および点灯した右下カバーＬＥＤ２０８ａを目視で確認し、給紙部３の右側カバー部材を開けて、給紙パス跨ぎ部Ａの用紙を除去する。そして、ユーザーのジャム処理が終了し、給紙搬送センサ２０７ａが用紙を検知しなくなったら（Ｓ１６のＹｅｓ）、右下カバーＬＥＤ２０８ａを消灯させるとともに、操作表示部の表示を消す。
【０１００】
制御部１２１は、給紙搬送センサ２０７ａが、用紙を検知していないとき（Ｓ１３のＮｏ）は、手差し給紙センサ２０７ｂが用紙を検知しているか否かをチェックする（Ｓ１７）。手差し給紙センサ２０７ｂが用紙を検知しているとき（Ｓ１７のＮｏ）は、先の図５に示した手差しパス跨ぎ部Ｂに用紙が存在する。よって、このときは、装置本体部５の右側カバー部材に設けられた右上カバーＬＥＤ２０８ｂを点灯させる。また、不図示の操作表示部に手差しパス跨ぎ部Ｂに用紙が存在する旨や、ジャム処理作業箇所、ジャム処理方法などを表示する（Ｓ１９）。ユーザーは、不図示の操作表示部内容に従うとともに、右下カバーＬＥＤ２０８ａの点灯を目視で確認し、手差しパス跨ぎ部Ｂに跨いだ用紙を除去する。手差しパス跨ぎ部Ｂに用紙が跨っている場合は、用紙の後端が、手差しトレイ３２上にある状態である。よって、ユーザーは、手差しトレイ上にある用紙後端をつかんで、引き抜くことで、ジャム処理を行うことができる。手差しパス跨ぎ部Ｂの用紙を除去して、手差し給紙センサ２０７ｂが用紙を検知しなくなったら（Ｓ２０のＹｅｓ）、右上カバーＬＥＤ２０８ｂを消灯させるとともに、操作表示部の表示を消す。
【０１０１】
給紙搬送センサ２０７ａおよび手差し給紙センサ２０７ｂが、用紙を検知していないとき（Ｓ１３のＹｅｓ，Ｓ１７のＹｅｓ）は、排紙センサ２０７ｃが用紙を検知しているか否かをチェックする（Ｓ２１）。排紙センサ２０７ｃが用紙を検知しているとき（Ｓ２１のＮｏ）は、先の図５に示した排紙パス跨ぎ部Ｃに用紙が存在する。よって、このときは、不図示の操作表示部に排紙パス跨ぎ部Ｃに用紙が存在する旨や、ジャム処理作業箇所、ジャム処理方法などを表示して、ユーザーに報知する（Ｓ２２）ユーザーは、不図示の操作表示部の指示に従って、排紙パス跨ぎ部Ｃにある用紙を除去する。排紙パス跨ぎ部Ｃに用紙が跨っている場合は、用紙の先端が、排紙トレイ６１上にある状態である。よって、ユーザーは、排紙トレイ上にある用紙先端をつかんで、引き抜くことで、ジャム処理を行うことができる。排紙パス跨ぎ部Ｃの用紙を除去して、排紙センサ２０７ｃが用紙を検知しなくなったら（Ｓ２３のＹｅｓ）、操作表示部の表示を消す。また、装置本体部５の左側カバー部材にＬＥＤを設け、排紙センサ２０７ｃが用紙を検知しているときに、点灯させて排紙パス跨ぎ部Ｃの用紙を除去する際の作業箇所を表示するようにしてもよい。
【０１０２】
給紙搬送センサ２０７ａ、手差し給紙センサ２０７ｂおよび排紙センサ２０７ｃいずれも用紙を検知していないとき（Ｓ１３のＹｅｓ，Ｓ１７のＹｅｓ，Ｓ２１Ｙｅｓ）は、引き出しユニット７６の搬送路に沿って配置された複数の用紙検知センサのいずれかが用紙を検知しているか否かをチェックする（Ｓ２４）。引き出しユニットの用紙検知センサが、用紙を検知していない場合（Ｓ２４のＹｅｓ）は、ジャム処理を終了する（Ｓ２５）。
【０１０３】
一方、引き出しユニットの用紙検知センサが、用紙を検知している場合（Ｓ２４のＮｏ）は、引き出しユニット７６のロック解除動作が実行される。すなわち、上述したように、駆動モータ７０１を駆動して、ロック受け面１８２ａ，１８２ｂに当接していた回転コロ１６２を、切り欠き１８１ａ，１８１ｂの位置まで移動させる。そして、回転コロ１６２が切り欠き１８１ａ，１８１ｂの位置に到達し、ロック検知センサ１９１が、「ＯＦＦ：遮蔽状態」から、「ＯＮ：非遮蔽状態」に切り替わり、ロックが解除されたことを検知（Ｓ２７）したら、駆動モータ７０１を停止し（Ｓ２８）、引き出しユニット７６引き出し可能状態にする（Ｓ２９）。
【０１０４】
次に、引き出しユニット７６の搬送路に配置された用紙検知センサの検知結果に基づいて、先の図４に示した引き出しユニットＬＥＤ１１２ａ〜１１２ｃを点灯させる（Ｓ３０）。また、不図示の操作表示部に、ジャム処理作業箇所、ジャム処理方法などを表示して、ユーザーに報知する（Ｓ３１）。例えば、セット検知センサ１７２が、引き出しユニット７６のセットを検知しているときは、操作表示部に引き出しユニット７６を引き出すように指示する旨を表示する。また、前カバー６の取っ手部６ａの上部にＬＥＤを設けて、ＬＥＤを点灯させて、ユーザーに作業箇所を表示するようにしてもよい。ユーザーが、引き出しユニット７６を引き出して、セット検知センサ１７２が、引き出しユニット７６のセットを検知しなくなったら、操作表示部に、引き出しユニット内の用紙を除去する手順を表示する。
【０１０５】
ユーザーが操作表示部の指示や、引き出しユニットＬＥＤ１１２ａ〜１１２ｃの点灯表示に基づいて、引き出しユニット７６搬送路内の用紙を除去して、引き出しユニット７６の搬送路に配置された複数の用紙検知センサいずれも用紙を検知しなくなったら、操作表示部に、引き出しユニット７６を閉める旨を表示する。そして、先の図２６に示したロック動作フローを実施し（Ｓ３３）、引き出しユニット７６をロックしてジャム処理が終了する（Ｓ３４）。
【０１０６】
このように、本実施形態においては、給紙搬送センサ２０７ａ、手差し給紙センサ２０７ｂおよび排紙センサ２０７ｃいずれかが用紙を検知しているときは、引き出しユニット７６は、ロック状態となっている。よって、給紙パス跨ぎ部Ａ、手差しパス跨ぎ部Ｂ、排紙パス跨ぎ部Ｃのいずれかに用紙が存在する状態で、引き出しユニット７６が引き出されることがない。これにより、用紙の泣き別れが生じるのを防止することができる。さらに、本実施形態においては、引き出しユニット７６内の搬送路内に用紙が詰まっているときのみ、引き出しユニット７６のロックが解除され、引き出し可能となる。これにより、引き出しユニット７６が、無闇に引き出され、引き出しユニット７６内の部品が傷付いたりするのを抑制することができる。
【０１０７】
また、本実施形態においては、操作表示部や、ＬＥＤにより、用紙ジャム処理の作業箇所を表示することで、適切にジャム処理作業を行わせることができる。これにより、ユーザーがロック状態の引き出しユニット７６を、引き出そうとするのを抑制することができる。
【０１０８】
また、上述では、前カバー６が引き出しユニット７６に取り付けられ、前カバー６と一体で引き出しユニット７６が引き出される構成の画像形成装置に本発明を適用した実施形態について説明した。しかし、先の図８に示した前カバー６と引き出しユニット７６とが別体で、前カバー６を開いてから、引き出しユニット７６が引き出される構成の画像形成装置にも、本発明を適用することができる。かかる図８に示した構成においても、給紙パス跨ぎ部Ａ、手差しパス跨ぎ部Ｂ、排紙パス跨ぎ部Ｃのいずれかに用紙が存在するときは、引き出しユニットを自動的にロックして、引き出されないようにすることで、用紙の泣き別れが生じるのを防止することができる。
【０１０９】
また、前カバー６のうち、引き出しユニット７６をカバーする部分のみを、引き出しユニット７６に取り付けて、その部分のみ引き出しユニット７６と一体で引き出される構成としてもよい。
【０１１０】
図３２は、前カバー６の取っ手部６ａ周辺を示す拡大図であり、図３３は、前カバー６を引き出しユニット７６から外して裏面から見た斜視図である。
図３２、図３３に示すように、前カバー６のアウターカバー部６０２には、ユーザーが手を突っ込むための開口部６０３を備えた取っ手部６ａが設けられている。この取っ手部６ａの開口部６０３には、フラッパ３０３が回動自在に取り付けられている。
【０１１１】
図３４は、図３３の取っ手部６ａ付近の拡大斜視図であり、図３５は、取っ手部６ａ周辺の分解斜視図であり、図３６は、メカロック機構３００を取り外した状態の前カバー６の取っ手部周辺を裏面から見た斜視図である。
図３６に示すように、フラッパ３０３の下端の図中左右端部付近には、取り付け部３０２が設けられており、これら取り付け部３０２が、前カバー６のフラッパ取り付け部６０４に回転自在に取り付けられている。フラッパ３０３は、トーションスプリング３０４により、前カバー６側へ付勢されている。フラッパ３０３の両端部には、止め部３０３ａが設けられており、外力が無い時、前カバー６の開口部６０３の縁部に突き当たって前カバー６と同一面で止めている。
【０１１２】
また、前カバー６の開口部６０３よりも図中左側には、フラッパ開閉検知センサ３１５が設けられている。フラッパ開閉検知センサ３１５は、透過型光センサであって、フラッパ３０３が閉じているときは、フラッパ３０３に一体的に設けられた遮蔽板３１４は、上記センサの発光素子と受光素子の間に位置にしている。よって、フラッパ３０３が閉じているときは、遮蔽板３１４が発光素子の光を遮蔽している。
【０１１３】
ユーザーが、前カバー６の取っ手部６ａの開口部６０３に手を突っ込むと、フラッパ３０３がトーションスプリング３０４に付勢力に抗して回転し、フラッパ３０３が装置内部へ倒れる。すると、フラッパ３０３に一体的に設けられた遮蔽板３１４が、フラッパ開閉検知センサ３１５の発光素子と受光素子との間から離間する。これにより、フラッパ開閉検知センサ３１５の受光素子が発光素子の光を検知して、フラッパ３０３が開らかれたことを検知することができる。これにより、ユーザーが引き出しユニットを引き出すための操作を行っていることが検知される。すなわち、本実施形態においては、上記フラッパ開閉検知センサ３１５と、フラッパ３０３の遮蔽板３１４とで、引き出しユニット７６を引き出すときのユーザーの操作を検知する操作検知手段として機能している。後述するように、制御部１２１は、フラッパ開閉検知センサ３１５の検知結果に基づいて、ロック機構１６０のロックおよびロック解除を行う。
【０１１４】
このように、取っ手部６ａの開口部６０３をフラッパ３０３で隠すことで、外観品質を向上させることができる。また、本実施形態においては、図３２に示すように、フラッパ３０３は、スリットを設け、取っ手部６ａの開口部６０３を装置内に外気を吸気する吸気口、または、装置内の空気を排気する排気口として利用している。具体的には、他の部分設けられた吸気ファンにより装置内部へ取り込まれた空気を、引き出しユニット７６内の気流設計で、取っ手部６ａの開口部６０３から排気する。また、他の部分設けられた排気ファンの排気により、装置内を負圧とし取っ手部６ａの開口部６０３から吸気することができる。
【０１１５】
一般的に、画像形成装置前面は、デザイン制約でルーバーのような機内冷却用の吸排気口を設けずらい。従って、従来、画像形成装置本体の左右面や背面で冷却処理を実施している。しかし、これらの面は、周辺機や設置場所で壁や棚でふさがれてしまうことも多い。従って、外気を十分に取り込むことができなかったり、排気を十分に行うことができなかったりする。このような場合、ファンやダクト等の部品を追加することで、対応可能であるが、装置のコストアップに繋がる。これに対し、本実施形態においては、周辺機や壁などにより塞がれることのない画像形成装置前面の取っ手部６ａの開口部６０３から吸気や排気を行うことができる。これにより、ファンやダクト等の部品を追加することなく、良好に機内を冷却することができる。また、取っ手部６ａを吸気口や排気口として用いることで、画像形成装置の前面の見栄えの低下を最小限に抑えることができる。
【０１１６】
また、本実施形態においては、駆動モータ７０１を駆動して電気的ロックを行うロック機構１６０以外に、ユーザーの機械的な操作で、引き出しユニット７６のロック及びロック解除を行うメカロック機構３００が設けられている。
【０１１７】
本実施形態のロック機構１６０は、装置の電源が切られたときなど、装置の電源がＯＦＦ状態のとき、引き出しユニット７６のロックを解除している。これは、装置の電源がＯＦＦ状態のとき、ロック機構１６０で引き出しユニット７６をロックしている場合、装置の電源を入れないと、ロック機構１６０によるロック解除が行えない。本実施形態においては、上述したように、駆動モータ７０１の駆動力を、高トルクのウォームギヤ７０４を介して伝達している。従って、ロック機構１６０のロックを手動で解除するのが困難な構成となっている。よって、装置の電源がＯＦＦの状態で引き出しユニットを引き出しメンテナンスなどを行うときには、まず、装置の電源を入れてから自動ロック機構によるロックを解除する操作が必要となり手間がかかるため、作業性が悪くなる。
【０１１８】
このような事情により、本実施形態においては、装置の電源がＯＦＦ状態のとき、引き出しユニット７６のロックを解除している。具体的には、例えば、装置の電源スイッチがＯＮからＯＦＦに切り替わった場合は、駆動モータ７０１を駆動して、ロック機構１６０のロックを解除してから、装置の電源がＯＦＦとなるようにしている。そして、装置の電源スイッチがＯＦＦからＯＮに切り替わり、装置の電源がＯＮ状態となったら、駆動モータ７０１を駆動して、ロック機構により引き出しユニット７６をロックする。
【０１１９】
このように、装置の電源がＯＦＦのとき、引き出しユニット７６のロックを解除しているので、装置の電源をＯＦＦにして、画像形成装置を運搬しているときなどに、振動などにより装置本体から引き出しユニットが飛び出してしまうおそれがある。このような事態が生じないように、本実施形態においては、ユーザーの機械的な操作で、引き出しユニット７６のロック及びロック解除を行うメカロック機構３００が設けられている。
【０１２０】
第２のロック手段であるメカロック機構３００は、図３４に示すように、レバー３０５、入力リンク３１２、出力リンク３１３、ストッパ３１８などを有している。
【０１２１】
図３５に示すように、レバー３０５は、上面部と、この上面部の長手方向両端から垂直に立ち下がった側面部と有した略逆凹形状をしている。この上面部の前カバー６側端部からも垂直に立ち下がった面部を有しており、この面部の長手方向両端部付近には、圧縮スプリング３０８を保持する円筒形状のロック側バネ保持部３０７が設けられている。また、レバー３０５の両側面部の前カバー側端部には、前カバー側に延びて、先端が外側に折れ曲がった形状の弾性爪部３０９が図中上下方向に２箇所設けられている。これら弾性爪部３０９は、前カバー６に固定される取手ブラケット３１０に設けられた引っ掛け穴３１０ａに挿入され、弾性爪部３０９の先端を取手ブラケット３１０に引っ掛ける。
【０１２２】
また、図３６に示すように、前カバー６にも、圧縮スプリング３０８を保持する一対の円筒形状のカバー側バネ保持部３０６が設けられている。カバー側バネ保持部３０６の内径は、ロック側バネ保持部３０７の外径よりも大きくなっている。弾性爪部３０９を前カバー６の取手ブラケット３１０に引っ掛けてレバー３０５を前カバー６に取り付けた際、ロック側バネ保持部３０７が、カバー側バネ保持部３０６に嵌合する構成となっている。レバー３０５を前カバー６に取り付けるとき、ロック側バネ保持部３０７内に圧縮スプリング３０８をセットして、カバー側バネ保持部３０６に嵌合させる。これにより、レバー３０５は、圧縮スプリング３０８により前カバー６から離れる方向に付勢された状態で取り付けられる。また、これにより、レバー３０５に設けられた弾性爪部３０９の先端が、前カバー６側から取手ブラケット３１０に引っ掛かる。この構成により、レバー３０５は前カバー６に対して矢印Ａで示す往復動作が可能に前カバー６に取り付けられる。
【０１２３】
また、図３５に示するように、レバー３０５の図中手前側の側面部には、入力リンク３１２が固定されている。入力リンク３１２は、前カバー６側へカーブするような略弓形状を有しており、回転軸３１２ａ、長孔３１２ｂ、棒状の出力リンク３１３が取り付けられる取り付け部３１２ｃを有している。入力リンク３１２の長孔３１２ｂに段付きネジ３０５ａを挿入して、レバー３０５の側面部に入力リンク３１２が取り付けられている。段付きネジ３０５ａは、長孔３１２ｂに対して相対移動可能に、レバー３０５にネジ止めされている。また、入力リンク３１２の回転軸３１２ａは、ブラケット３１０の図中手前側端部に固定された支点ブラケット３１１に回転自在に取り付けられる。すなわち、入力リンク３１２は、レバー３０５と支点ブラケット３１１とを連結するような形で取り付けられている。また、入力リンク３１２の取り付け部３１２ｃには、棒状の出力リンク３１３の上端部が取り付けられている。
【０１２４】
図３７は、ストッパ３１８の周辺の斜視図であり、図３８は、ストッパ３１８が引き出しユニット前側板１５０に保持されている構成を示す図である。また、図３９は、引き出しユニット前側板１５０のストッパ３１８を保持している周辺を示す拡大斜視図である。
【０１２５】
図３７に示すように、棒状の出力リンク３１３の下端３１３ｂは、ストッパ３１８と対向している。
ストッパ３１８は、装置本体部５の水平フレーム５ａに設けられたロック穴５ｂに引っ掛かる爪部３１８ｄ、回転軸部３１８ａ、突き当たり面３１８ｃ、バネ受け部３１８ｂなどが設けられている。
【０１２６】
図３９に示すように、ストッパ３１８は、引き出しユニット前側板１５０に固定されたストッパブラケット３１７に回転自在に保持されている。具体的には、ストッパブラケット３１７に設けられた穴にストッパ３１８の回転軸部３１８ａが装着されることで、ストッパ３１８がストッパブラケット３１７に回転自在に保持される。
【０１２７】
また、ストッパブラケット３１７にもバネ受け部３１７ａが設けられており、ストッパ３１８のバネ受け部３１８ｂとストッパブラケット３１７のバネ受け部３１７ａとに圧縮スプリング３１９が保持されている。この圧縮スプリング３１９により、ストッパ３１８の爪部３１８ｄ側が、水平フレーム５ａ側へ付勢される。
【０１２８】
次に、メカロック機構３００の動作について、説明する。
図４０は、メカロック機構３００によるロック解除動作の説明図である。
前カバー６に設けられた取っ手部６ａにユーザーが手を入れてフラッパ３０３を押し開け、レバー３０５を前カバー６側に引っ張るように握る。すると、ロック側バネ保持部３０７とカバー側バネ保持部３０６とに保持された圧縮スプリング３０８の付勢力に抗してレバー３０５が前カバー６側へ移動する。
【０１２９】
レバー３０５の前カバー６側への移動に連動して、入力リンク３１２の長孔３１２ｂに挿入された段付きネジ３０５ａが前カバー６側に移動する。これにより、入力リンク３１２は、回転軸３１２ａを中心に図中反時計回りに回動する。このように入力リンク３１２が回動することで、上部が入力リンク３１２に取り付けられた棒状の出力リンク３１３が、入力リンク３１２に押されて下方に移動する。すると、ストッパ３１８の突き当たり面３１８ｃが、出力リンク３１３の下端で押される。
【０１３０】
ストッパ３１８の突き当たり面３１８ｃが、出力リンク３１３の下端で押されることで、ストッパ３１８は、圧縮スプリング３１９の付勢力に抗して、回転軸部３１８ａを中心にして図中反時計回りに回動する。この回動によって、水平フレーム５ａのロック穴５ｂに嵌り込んでいた爪部３１８ｄがロック穴５ｂから外れる。これにより、メカロック機構３００による装置本体部５に対する引き出しユニット７６のロックが解除され、装置本体部５から引き出しユニット７６を引き出すことが可能となる。
【０１３１】
図４１は、メカロック機構３００によるロック動作の説明図である。
ユーザーがレバー３０５を握るのをやめると、ロック側バネ保持部３０７とカバー側バネ保持部３０６とに保持された圧縮スプリング３０８の付勢力により前カバー６側から離れる方向へ移動する。そして、先の図３５で示した弾性爪部３０９の先端が取手ブラケット３１０の引っ掛け穴３１０ａに引っ掛かり、レバー３０５が初期位置へ戻る。
【０１３２】
また、上記レバー３０５の初期位置への移動に伴い、入力リンク３１２が図中時計回りに回動し、出力リンク３１３を引き上げる。これにより、出力リンク３１３の下端がストッパ３１８から離間する。すると、ストッパ３１８が、圧縮スプリング３１９（図３９参照）の付勢力により図中時計回りに回動し、爪部３１８ｄがロック穴５ｂに嵌り込む。これにより、メカロック機構３００により引き出しユニット７６が引き出し不能にロックされる。
【０１３３】
本実施形態においては、ストッパの爪部３１８ｄは、前側から後側へ行くに連れて、高さが高くなるようなテーパ面となっている。また、レバー３０５を握っていない状態のとき、出力リンク３１３は、ストッパ３１８から離間している。このような構成のため、本実施形態においては、ユーザーがレバー３０５を握っていない状態で引き出しユニット７６を押し入れても、引き出しユニットを装置本体にセットすることができる。具体的に説明すると、レバー３０５を握っていない状態で、引き出しユニットを押し入れていくと、ストッパ３１８の爪部３１８ｄが、水平フレーム５ａに突き当たる。しかし、本実施形態においては、ストッパ３１８の爪部３１８ｄにテーパ面を設けているため、このテーパ面が、水平フレーム５ａに突き当たる。従って、この状態から、さらに、引き出しユニット７６を押し入れると、テーパ面によりストッパ３１８が図４１の反時計回りに回動して、爪部３１８ｄが水平フレーム５ａを乗り越えることができる。また、出力リンク３１３は、ストッパ３１８から離間しているので、ストッパ３１８の回動のみで、爪部３１８ｄを水平フレーム５ａに乗せることができる。これにより、爪部３１８ｄを水平フレーム５ａに乗せる際の抗力が、ストッパの爪部を下側へ付勢する圧縮スプリング３１９（図３９参照）の付勢力のみとなり、簡単に、爪部３１８ｄを水平フレーム５ａに乗せることができる。そして、さらに、引き出しユニット７６を押し入れると、爪部３１８ｄがロック穴５ｂに嵌り込む。このように、ユーザーがレバー３０５を握ってなくても、引き出しユニット７６を装置本体にセットすることができる。また、引き出しユニット７６を装置本体にセットすると、自動的にメカロック機構３００により引き出しユニット７６をロックすることができる。
【０１３４】
このように、本実施形態においては、メカロック機構３００を設けることで、電源ＯＦＦで、ロック機構１６０のロックが解除されているときも、メカロック機構３００により引き出しユニットをロックすることができる。また、取っ手部に手を入れて、引き出しユニット７６を引き出す動作を行うことで、レバー３０５が動き、メカロック機構３００のロックが解除される。これにより、装置の電源がＯＦＦの状態のとき、特別な操作を行う必要がなく、引き出しユニット７６のロックが解除され、手間なく、引き出しユニット７６を引き出すことができる。これにより、電源ＯＦＦ時の引き出しユニット７６のメンテナンス作業性を向上することができる。
【０１３５】
また、本実施形態のメカロック機構３００は、ユーザーが取っ手部６ａに手を入れてレバー３０５を握らないと、装置本体部５に対する引き出しユニット７６のロックが解除されない。さらに、レバー３０５はフラッパ３０３よりも引き出しユニット奥側に配置されているため、振動や衝撃を受けたとしてもレバー３０５を前カバー６側に変位させるような力は加わらず、装置本体部５に対する引き出しユニット７６のロックが解除されることはない。つまり、メカロック機構３００によって、引き出しユニット７６を装置本体部５に対してロックすることで、電源ＯＦＦでロック機構１６０はロック解除状態でも、振動などにより引き出しユニット７６が装置本体部５から飛び出すことを抑制できる。
【０１３６】
ここで、電気的に引き出しユニットをロックするロック機構１６０（以下、エレキロック機構という）によるロックがなされたままでは、メカロック機構３００によるロックを解除したとしても、引き出しユニット７６を引き出すことができない。そのため、本実施形態においては、フラッパ開閉検知センサ３１５でフラッパの開閉を検知することで、ユーザーが引き出しユニットを引き出す操作を行うか否を検知し、ロック機構１６０のロック解除を行っている。
【０１３７】
図４２は、フラッパ開閉検知センサ３１５の検知結果に基づく制御フローである。
ユーザーが、取っ手部６ａに手を入れて、フラッパ３０３を押し倒すと、フラッパ開閉検知センサ３１５が遮光状態から透過状態に変化する。これにより、ユーザーが取っ手部６ａに手を入れたことが検知される（Ｓ４１）。
【０１３８】
フラッパ開閉検知センサ３１５が、ユーザーが取っ手部６ａに手を入れたことを検知したら、通紙中か否かをチェックする（Ｓ４２）。通紙中（画像形成動作中）である（Ｓ４２のＹ）場合は、エレキロック機構１６０のロックを解除せずに、終了する。これにより、通紙中にユーザーが取っ手部６ａに手を入れて、メカロック機構３００のロックを解除しても、エレキロック機構１６０により引き出しユニット７６がロックされている。従って、通紙中に、引き出しユニット７６が引き出されるのを防止することができる。
【０１３９】
通紙中（画像形成動作中）でない（Ｓ４２のＮ）場合は、上述した用紙検知センサの検知結果に基づいて紙詰まり中であるか否かをチェックする（Ｓ４３）。紙詰まり中である（Ｓ４３のＹ）場合は、終了し、先の図３１に示した動作フローに基づいて、エレキロック機構のロック解除を行う。
【０１４０】
通紙中（Ｓ４２のＮ）でなく、紙詰まり中でもない（Ｓ４３のＮ）場合、引き出しユニット７６が保持している定着ユニット５３や２次転写装置５２に電力を供給する２４Ｖ電源を切る（Ｓ４４）。２４Ｖ電源が切れたら、駆動モータ７０１を駆動して、エレキロック機構１６０のロックを解除する（Ｓ４５）。
【０１４１】
上記（Ｓ４１）〜（Ｓ４５）までの一連の動作は、ユーザーが、レバー３０５を押して、引き出しユニット７６を引き始めるまでに完了する。具体的には、レバー３０５の移動量などを調整したりすることで、ユーザーが、引き出しユニット７６を引き始めるまでに、エレキロック機構１６０のロック解除を完了させることができる。これにより、通紙中や紙詰まり中以外の任意のタイミングで引き出しユニット７６を引き出すことができる。また、引き出しユニット７６に保持された装置（定着ユニット５３や２次転写装置５２など）のメンテナンスのときなど、エレキロック機構を解除する特別な操作を行わずに、引き出しユニット７６を引き出すことができる。
【０１４２】
また、エレキロック機構１６０によるロックが解除されたら、制御部１２１は、タイム計測を開始する。そして、５秒経過しても、引き出しユニットが引き出されなかった（Ｓ４６のＹ）場合は、駆動モータ７０１を駆動して、エレキロック機構１６０により、引き出しユニット７６をロックする（Ｓ５２）。なお、引き出しユニット７６が引き出されたか否かは、先の図１７に示したセット検知センサ１７２により検知することができる。すなわち、５秒以内に、セット検知センサ１７２が遮光状態から透過状態に変化しなかった場合、制御部１２１は、駆動モータ７０１を駆動して、エレキロック機構１６０により、引き出しユニット７６をロックする。このように、５秒以内に引き出しユニット７６が引き出されなかった場合は、エレキロック機構によるロックを行うことで、エレキロック機構のロックが解除された状態で、放置されるのを防止することができる。なお、本実施形態では、５秒後に、エレキロック機構によるロックを行っているが、ロックを開始する時刻は、装置の特性などにより、適宜決めればよい。
【０１４３】
一方、５秒以内に引き出しユニット７６が引き出され（Ｓ４７）、引き出しユニット７６内の装置のメンテナンスなどが終了し、引き出しユニット７６をセット（Ｓ４８）したら、取っ手部６ａに手があるか否かをチェックする（Ｓ４９）。フラッパ開閉検知センサ３１５が、フラッパ３０３が開いている状態を検知しているときは、取っ手部６ａに手があり（Ｓ４９のＹ）、ユーザーが引き出しユニット７６を引き出す操作を行うおそれがある。よって、この場合は、エレキロック機構１６０によるロックを行わずに、待機する。これにより、エレキロック機構１６０のロック動作中に引き出しユニット７６が引き出されるのを防止することができる。
【０１４４】
一方、フラッパ開閉検知センサ３１５が、フラッパ３０３が閉じている状態を検知しており、取っ手部６ａに手がないとき（Ｓ４９のＮ）は、ユーザーが引き出しユニット７６を引き出す操作を行うおそれがない。従って、駆動モータ７０１を駆動して、エレキロック機構１６０により引き出しユニット７６をロックする（Ｓ５０）。エレキロック機構１６０によるロックが完了したら、２４Ｖ電源をＯＮにする（Ｓ５１）。
【０１４５】
また、本実施形態においては、フラッパ３０３を設けているが、画像形成装置の外観上の制約が無ければ、フラッパ３０３を無くしてもよい。この場合、フラッパ開閉検知センサ３１５の替わりにユーザーが手をいれたことを非接触センサで検知することで、ユーザーの引き出し操作を検知することができる。
【０１４６】
以上に説明したものは一例であり、本発明は、以下の態様毎に特有の効果を奏する。
（態様１）
用紙などの記録媒体が積載された給紙部３から搬送されてきた記録媒体を、タンデム画像形成装置５０などの画像形成部へ搬送する主搬送路７０などの給紙搬送路、および／または画像が形成された記録媒体を排紙部へ搬送する排紙路６０などの排紙搬送路を収納し、装置装置本体に対して引き出し可能に構成された引き出しユニット７６を備えた画像形成装置において、引き出しユニット７６を装置本体にロックするロック機構１６０などのロック手段と、装置本体側の搬送経路と前記引き出しユニット側の搬送経路との間で記録媒体が跨っているか否かを検知する跨りセンサなどの跨り検知手段と、跨り検知手段が、跨りを検知しているとき、引き出しユニット７６を装置本体にロックするようにロック手段を制御する制御手段とを備えた。
かかる構成を備えることで、実施形態で説明したように、用紙などの記録媒体の泣き別れを防止することができる。
【０１４７】
（態様２）
また、（態様１）において、少なくとも駆動モータ７０１などの駆動源を備え、ロック機構１６０などのロック手段を駆動する駆動部７００などの駆動手段と、ロック手段が、ロック状態か、ロック解除状態かを検知するロック検知機構などのロック検知手段とを備え、制御部１２１などの制御手段は、ロック検知手段の検知結果に基づいて、駆動手段を制御することで、ロック手段を制御する。
かかる構成を備えることで、実施形態で説明したように、自動で、引き出しユニットのロックおよびロック解除を行うことができる。
【０１４８】
（態様３）
また、（態様２）において、駆動部７００などの駆動手段は、少なくともウォームギヤを備えた。
かかる構成を備えることで、実施形態で説明したように、振動などによりロック機構１６０などのロック手段が回動するのを防止することができ、ロック外れや、引き出しユニットの装着不良を防止することができる。
【０１４９】
（態様４）
また、（態様１）乃至（態様３）のいずれかにおいて、引き出しユニット７６の引き出し方向手前側に配置された前カバー６などの装置本体の外装カバーの少なくとも引き出しユニットをカバーする部分を、引き出しユニットに取り付けて引き出しユニットと一体で引き出し可能に構成した。
かかる構成を備えることで、実施形態で説明したように、前カバー６などの外装カバーを引き出せば、引き出しユニット７６を引き出すことができる。これにより、引き出しユニットの引き出し作業を簡素化することができる。
【０１５０】
（態様５）
また、（態様１）乃至（態様４）いずれかにおいて、引き出しユニット７６を装置本体にロックするときにロック機構１６０などのロック手段と当接するロック受け面１８２ａ，１８２ｂなどのロック受け部を有し、ロック受け部を、本体後側板５０１などの装置本体の引き出しユニット７６の引き出し方向奥側側板よりも、引き出しユニット側に設けた。
かかる構成を備えることで、引き出しユニットをロックしたとき、ロック機構が、本体後側板５０１などの奥側側板から奥側へ突出するのを抑制することができる。これにより、奥側側板よりも奥側に設けられる２次転写ローラなどの部品の配置に制約を受けることがない。２次転写ローラなどの奥側側板よりも奥側に設けられる部品をロック受け面１８２ａ，１８２ｂなどのロック受け部と対向して設けることができ、２次転写ローラなどの奥側側板よりも奥側に設けられる部品の配置の自由度が高めることができる。また、装置の小型化を図ることができる。
【０１５１】
（態様６）
また、（態様５）において、ロック機構１６０などのロック手段がロック受け面１８２ａ，１８２ｂなどのロック受け部に当接して引き出しユニット７６が装置本体にロックされたとき、ロック手段が本体後側板５０１などの奥側側板から突出しないように構成した。
かかる構成えを備えることで、実施形態で説明したように、２次転写ローラなどの奥側側板よりも奥側に設けられる部品の配置の自由度が高めることができる。また、装置の小型化を図ることができる。
【０１５２】
（態様７）
また、（態様１）乃至（態様６）のいずれかにおいて、搬送路内での記録媒体の詰まりを検知する用紙検知センサなどの紙詰まり検知手段を備え、制御部１２１などの制御手段は、跨りセンサなどの跨り検知手段が、跨りを検知しておらず、かつ、紙詰まり検知手段が引き出しユニットの搬送路内での紙詰まりを検知しているとき、引き出しユニット７６の装置本体へのロックを解除するようにロック機構などのロック手段を制御する。
かかる構成を備えることで、引き出しユニットの搬送路でジャムが生じているときは、引き出しユニットを引き出すことができ、引き出しユニット搬送内の用紙を容易に除去することができる。
【０１５３】
（態様８）
また、（態様１）乃至（態様７）において、引き出しユニット７６を引き出すときにユーザーが操作する取っ手部６ａなどの操作手段と、ユーザーが操作手段を操作するか否かを検知するフラッパ開閉検知センサ３１５などの操作検知手段とを備え、制御部１２１などの制御手段は、操作検知手段が、操作手段の操作を検知したら、引き出しユニット７６の装置本体へのロックを解除するようにロック機構１６０などのロック手段を制御する。
かかる構成を備えることで、実施形態で説明したように、引き出しユニット７６のメンテナンスのときなど、ロック機構１６０などのロック手段を解除するための操作をユーザーが行わずに、引き出しユニット７６を引き出すことができる。
【０１５４】
（態様９）
また、（態様８）において、制御手段などの制御部１２１は、フラッパ開閉検知センサ３１５などの操作検知手段が、取っ手部６ａなどの操作手段の操作を検知しても、か跨りセンサなどの跨り検知手段が跨りを検知している場合、または、画像形成動作中の場合は、ロック機構１６０などのロック手段のロック解除を行わない。
かかる構成を備えることで、実施形態で説明したように、用紙などの記録媒体の泣き別れを防止することができる。
【０１５５】
（態様１０）
また、（態様１）乃至（態様９）において、操作者が行う機械的な操作によって、装置本体に対する引き出しユニットのロック及びロック解除を行うメカロック機構３００などの第２ロック手段を備えた。
かかる構成を備えることで、実施形態で説明したようにロック機構１６０などのロック手段が、電源ＯＦＦ時はロック解除状態であっても、メカロック機構３００などの第２のロック手段でロックすることができる。これにより、電源ＯＦＦした状態で、画像形成装置の運搬を行うときなどに、引き出しユニット７６が装置本体から飛び出してしまうのを抑制することができる。また、第２のロック手段は、ユーザーの操作によりロック解除を行うことができる。これにより、電源ＯＦＦ時のときでも、引き出しユニット７６を容易に引き出すことができ、電源ＯＦＦ時における引き出しユニットのメンテナンスを容易に行うことができる。
【０１５６】
（態様１１）
また、（態様１）乃至（態様１０）いずれかにおいて、引き出しユニットを引き出すときに、ユーザーの手を引っ掛けるために開口した取っ手部を有し、取っ手部の開口を、装置内に外気を取り込むための吸気口または装置内の空気を排気するための排気口として用いた。
かかる構成備えることで、実施形態で説明したように、画像形成装置のデザイン性の低下を抑えつつ、画像形成装置内部を良好に冷却することができる。
【０１５７】
（態様１２）
また、（態様１）乃至（態様１１）のいずれかにおいて、引き出しユニット７６は、引き出しユニット７６を引き出したとき、引き出しユニット内の搬送経路のどの箇所で記録媒体が詰まっているかを報知するＬＥＤ１１２ａ〜１１２ｃなどの報知手段と、装置本体から引き出しユニットを引き出した状態において、装置本体内部と引き出しユニットとを電気的に接続する束線１０５などの電線部材とを備えた。
かかる構成を備えることで、実施形態で説明したように、引き出しユニット７６を装置本体から引き出したときも、ＬＥＤ１１２ａ〜１１２ｃなどの報知手段で、紙詰まり箇所を報知することができる。これにより、確実に、引き出しユニット内のジャム紙を取り除くことができる。
【０１５８】
（態様１３）
また、（態様１）乃至（態様１２）のいずれかにおいて、引き出しユニット７６は、画像形成部の中間転写ベルト５４などの像担持体に当接する２次転写ローラ５２１などの転写部材および転写部材を像担持体に対して接離させる接離機構を備え、像担持体上の画像を記録媒体に転写する２次転写装置５２などの転写手段と、少なくとも駆動モータ７０１などの駆動源を備え、ロック機構１６０などのロック手段および接離機構とを駆動する駆動部７００などの駆動手段を備え、ロック状態からロック解除状態となるように、ロック手段を駆動させると、転写部材が像担持体との当接状態から離間状態となるように接離機構が駆動するように構成した。
かかる構成えを備えることで、実施形態で説明したように、引き出しユニット７６を装置本体から引き出すときに、中間転写ベルト５４などの像担持体と、２次転写ローラ５２１などの転写部材とが摺擦するのを抑制することができる。
【符号の説明】
【０１５９】
１：画像形成装置
３：給紙部
４：画像読取部
５：装置本体部
５ａ：水平フレーム
５ｂ：ロック穴
６：前カバー
６ａ：取っ手部
１１：画像形成装置本体
３２：手差しトレイ
５０：タンデム画像形成装置
５２：２次転写装置
５３：定着ユニット
５４：中間転写ベルト
５６：用紙搬送ベルト
６０：排紙路
６１：排紙トレイ
７０：主搬送路
７０ａ：レジストローラ対
７３：反転搬送路
７４：感光体ドラム
７５：画像形成手段
７６：引き出しユニット
１１２：引き出しユニットＬＥＤ
１０５：束線
１２１：制御部
１３０：コードガイド
１５０：引き出しユニット前側板
１５１：引き出しユニット後側板
１５２：位置決めピン
１５２ａ：案内部
１５２ｂ：嵌合部
１５２ｃ：座面部
１６０：ロック機構（エレキロック機構）
１６１：コロ軸
１６２：回転コロ
１６３：嵌合部材
１７１：セット検知用フィラー
１７２：セット検知センサ
１８０：ロック受け部材
１８１ａ，１８１ｂ：切り欠き
１８２ａ，１８２ｂ：ロック受け面
１８３ａ，１８３ｂ：案内面
１８４：ロック用貫通孔
１８５：２次転写用貫通孔
１８６ａ，１８６ｂ：傾斜面
１９１：ロック検知センサ
１９２：ロック検知用フィラー
２０１ａ：２次転写前用紙検知センサ
２０１ｂ：２次転写後用紙検知センサ
２０１ｃ：定着前用紙検知センサ
２０１ｄ：定着後用紙検知センサ
２０７ａ：給紙搬送センサ
２０７ｂ：手差し給紙センサ
２０７ｃ：排紙センサ
２０８ａ：右下カバーＬＥＤ
２０８ｂ：右上カバーＬＥＤ
３００：メカロック機構
３０２：取り付け部
３０３：フラッパ
３０３ａ：止め部
３０４：トーションスプリング
３０５：レバー
３０５ａ：段付きネジ
３０６：カバー側バネ保持部
３０７：ロック側バネ保持部
３０９：弾性爪部
３１０：取手ブラケット
３１０ａ：引っ掛け穴
３１１：支点ブラケット
３１２：入力リンク
３１２ａ：回転軸
３１２ｂ：長孔
３１２ｃ：取り付け部
３１３：出力リンク
３１３ｂ：下端
３１４：遮蔽板
３１５：フラッパ開閉検知センサ
３１７：ストッパブラケット
３１７ａ：バネ受け部
３１８：ストッパ
３１８ａ：回転軸部
３１８ｂ：バネ受け部
３１８ｃ：突き当たり面
３１８ｄ：爪部
３１９：圧縮スプリング
５０１：本体後側板
５０２：位置決め穴
５２１：２次転写ローラ
６０１：インナーカバー部
６０２：アウターカバー部
６０１ 部
６０２ アウターカバー部
６０２ 開口部
７００：駆動部
７０１：駆動モータ
７０２：ケース
７０３：ロックシャフト
７０４：ウォームギヤ
７０４ａ：ネジ歯車
７０４ｂ：ハス歯歯車
７０５：ギヤ列
７０６：従動ギヤ
７１０：リンク機構
７１１：出力リンク部材
７１２：連結リンク部材
７１３：入力リンク部材
８００：２次転写駆動ユニット
【先行技術文献】
【特許文献】
【０１６０】
【特許文献１】特許第４３４００３９号公報
【図１】
2014134753.tif 000003
【図２】
2014134753.tif 000004
【図３】
2014134753.tif 000005
【図４】
2014134753.tif 000006
【図５】
2014134753.tif 000007
【図６】
2014134753.tif 000008
【図７】
2014134753.tif 000009
【図８】
2014134753.tif 000010
【図９】
2014134753.tif 000011
【図１０】
2014134753.tif 000012
【図１１】
2014134753.tif 000013
【図１２】
2014134753.tif 000014
【図１３】
2014134753.tif 000015
【図１４】
2014134753.tif 000016
【図１５】
2014134753.tif 000017
【図１６】
2014134753.tif 000018
【図１７】
2014134753.tif 000019
【図１８】
2014134753.tif 000020
【図１９】
2014134753.tif 000021
【図２０】
2014134753.tif 000022
【図２１】
2014134753.tif 000023
【図２２】
2014134753.tif 000024
【図２３】
2014134753.tif 000025
【図２４】
2014134753.tif 000026
【図２５】
2014134753.tif 000027
【図２６】
2014134753.tif 000028
【図２７】
2014134753.tif 000029
【図２８】
2014134753.tif 000030
【図２９】
2014134753.tif 000031
【図３０】
2014134753.tif 000032
【図３１】
2014134753.tif 000033
【図３２】
2014134753.tif 000034
【図３３】
2014134753.tif 000035
【図３４】
2014134753.tif 000036
【図３５】
2014134753.tif 000037
【図３６】
2014134753.tif 000038
【図３７】
2014134753.tif 000039
【図３８】
2014134753.tif 000040
【図３９】
2014134753.tif 000041
【図４０】
2014134753.tif 000042
【図４１】
2014134753.tif 000043
【図４２】
2014134753.tif 000044